(57)【要約】【課題】  映像データを記憶したＰＣ（映像送信装置）１と、映像データを受信する受信機２とからなるシステムにおいて、ＰＣ１に操作指示を与える外部入力手段を有さなくても、ＰＣ１から受信機２に映像データを送信し、再生するシステムを実現する。また、ＰＣ１が、受信機２の機能に応じた、映像データの送信を行うことを実現する。【解決手段】  ＰＣ１は、受信機２から送信された、ＰＣ１に対して接続を要求する接続要求データに基づいて当該ＰＣ１の動作を制御する映像送信装置制御手段６と、受信機２に送信するための映像が記憶されている記憶手段１２とを備える。この映像送信装置制御手段６において、接続要求データ認識部７によって接続要求データが認識された場合、接続要求データを送信した受信機２との接続を確立させるとともに、ファイル操作部９によって読み出される映像データファイルを、送信手段５が受信機２に送信する。【選択図】  図１
2005130090.tif 000002
【特許請求の範囲】
【請求項１】
映像データを映像送信装置から、通信網を介して受信機に送信し、受信機と接続している表示装置で、この映像データを再生する映像伝送システムに備えられた映像送信装置であって、
当該映像送信装置の動作を制御する映像送信装置制御手段と、映像データをファイル形式で記憶している記憶手段とを備え、
前記映像送信装置制御手段が、
前記受信機から送信される、当該映像送信装置との通信接続を要求する接続要求データを認識する接続要求データ認識部と、
前記記憶手段に記憶されている映像データファイルを読み出すファイル操作部と、
前記ファイル操作部によって読み出された映像データファイルを前記受信機に対して送信する送信手段とを有しており、
前記接続要求データ認識部によって接続要求データが認識された場合、前記送信手段が、該接続要求データを送信した受信機との接続を確立させるとともに、前記ファイル操作部によって読み出される映像データファイルを、該受信機に送信することを特徴とする映像送信装置。
【請求項２】
前記映像送信装置制御手段が、接続要求データ認識部による接続要求データの認識結果に基づいて、受信機に送信する映像データファイルの信号方式を変換するデータ変換部を備えていることを特徴とする請求項１に記載の映像送信装置。
【請求項３】
前記記憶手段が、受信機を識別する情報と、その受信機において扱うことのできる映像データファイルの信号方式に関する情報とを、受信機の種類ごとに記憶する受信機情報管理テーブルを記憶しており、
前記接続要求データ認識部が、接続要求データを解析することによって、該接続要求データを送信した受信機を特定し、受信機情報管理テーブルを参照することによって、特定した受信機が扱うことのできる映像データファイルの信号方式を特定するとともに、
前記データ変換部が、前記接続要求データ認識部によって特定された信号方式に、送信する映像データファイルを変換することを特徴とする請求項２記載の映像送信装置。
【請求項４】
前記映像送信装置制御手段が、受信機から送信された制御信号を認識する制御信号認識部を備えており、
前記制御信号認識部が、別の映像データに切り換える操作を指示する制御信号の受信を認識した場合、前記ファイル操作部が、読み出している映像データファイルを別の映像データファイルに切り換えることを特徴とする請求項１〜３のいずれか一項に記載の映像送信装置。
【請求項５】
前記ファイル操作部が、前記記憶手段に記憶されている映像データファイルのうち、所定のファイル名となっている映像データファイルを読み出して、前記送信手段が、該映像データファイルを前記受信機に送信することを特徴とする請求項１〜４のいずれか１項に記載の映像送信装置。
【請求項６】
前記ファイル操作部が、前記記憶手段に記憶されている映像データファイルのうち、所定のサブディレクトリに格納されている映像データファイルを読み出して、前記送信手段が、該映像データファイルを前記受信機に送信することを特徴とする請求項１〜４のいずれか１項に記載の映像送信装置。
【請求項７】
前記接続要求データは、受信機が送信を要求する映像データファイルに関する情報をさらに含んでおり、
前記接続要求データ認識部が、該接続要求データに含まれる映像データファイルに関する情報を前記ファイル操作部に送信し、
前記ファイル操作部が、前記接続要求データ認識部から受信した映像データファイルに関する情報に基づいて、読み出す映像データファイルを決定することを特徴とする請求項１〜４いずれか１項に記載の映像送信装置。
【請求項８】
前記接続要求データに含まれている映像データファイルに関する情報が、該映像データファイルのファイル名であることを特徴とする請求項７に記載の映像送信装置。
【請求項９】
前記接続要求データに含まれている映像データファイルに関する情報が、前記記憶手段における、該映像データファイルが格納されているサブディレクトリ名であることを特徴とする請求項７に記載の映像送信装置。
【請求項１０】
前記記憶手段が、記憶している映像データファイルに関する情報を記憶する映像データファイル管理テーブルをさらに記憶しているとともに、
前記映像送信装置制御手段が、映像データファイルを前記記憶手段に記憶した日時を、前記映像データファイル管理テーブルに記録する刻時手段をさらに備えていることを特徴とする請求項１〜４のいずれか１項に記載の映像送信装置。
【請求項１１】
前記ファイル操作部が、前記記憶手段に記憶されている映像データファイルのうち、所定の日時の範囲で記憶手段に記憶された映像データファイルを読み出して、前記受信機に送信することを特徴とする請求項１０に記載の映像送信装置。
【請求項１２】
前記接続要求データは、受信機が送信を要求する映像データファイルに関する情報をさらに含んでおり、
前記接続要求データ認識部が、該接続要求データに含まれる映像データファイルに関する情報を前記ファイル操作部に送信し、
前記ファイル操作部が、前記接続要求データ認識部から受信した映像データファイルに関する情報に基づいて、読み出す映像データファイルを決定するとともに、
前記接続要求データに含まれている映像データファイルに関する情報が、該映像データファイルが前記記憶手段に記憶された日時の範囲であることを特徴とする請求項１０に記載の映像送信装置。
【請求項１３】
前記映像送信装置制御手段が、前記受信機から送信された制御信号を認識する制御信号認識部を備えており、
前記接続要求データ認識部によって接続要求データが認識された場合に、前記送信手段によって、前記受信機に対して送信される映像データファイルが、動画データ中の静止画像データであり、
前記制御信号認識部が、動画再生を指示する制御信号を受信した場合、前記ファイル操作部が、送信した静止画像データを含む動画データとしての映像データファイルを読み出し、前記送信手段が、該映像データファイルを前記受信機に送信することを特徴とする請求項１〜３のいずれか一項に記載の映像送信装置。
【請求項１４】
前記静止画像データが前記受信機に送信された状態で、前記制御信号認識部が、別の映像データに切り換える操作を指示する制御信号の受信を認識した場合、前記ファイル操作部が、送信した静止画像データを含む動画データとは異なる動画データ中の静止画像データとしての映像データファイルを読み出し、前記送信手段が、ファイル操作部によって読み出された映像データファイルを前記受信機に送信することを特徴とする請求項１３に記載の映像送信装置。
【請求項１５】
前記接続要求データに、動画データ中の静止画像データの送信を要求するものであるか否かを示す情報が含まれているとともに、
前記接続要求データ認識部が、接続要求データ中に静止画像データの送信を要求する情報が含まれていることを認識した場合に、前記送信手段が、前記受信機に対して動画データ中の静止画像データを送信することを特徴とする請求項１３または１４に記載の映像送信装置。
【請求項１６】
前記映像送信装置制御手段が、前記受信機から送信された制御信号を認識する制御信号認識部を備えており、
前記接続要求データ認識部によって接続要求データが認識された場合に、前記送信手段によって、前記受信機に対して送信される映像データファイルが、複数の動画データ中の静止画像データに関する一覧表示データであり、
前記一覧表示データが前記受信機に送信された状態で、前記制御信号認識部が、一覧表示データの中に示されている複数の静止画像の中から、所定の静止画像を選択する操作を指示する制御信号の受信を認識するとともに、動画再生を指示する制御信号を受信した場合、
前記ファイル操作部が、前記一覧表示の中から選択された静止画像データを含む動画データとしての映像データファイルを読み出し、前記送信手段が、該映像データファイルを前記受信機に送信することを特徴とする請求項１〜３のいずれか一項に記載の映像送信装置。
【請求項１７】
前記接続要求データに、複数の動画データ中の静止画像データの送信を要求するものであるか否かを示す情報が含まれているとともに、
前記接続要求データ認識部が、接続要求データ中に静止画像データの送信を要求する情報が含まれていることを認識した場合に、前記送信手段が、前記受信機に対して複数の動画データの一覧を表示した静止画像データを送信することを特徴とする請求項１６に記載の映像送信装置。
【請求項１８】
前記映像送信装置制御手段が、前記受信機から送信された制御信号を認識する制御信号認識部を備えており、
前記接続要求データ認識部によって接続要求データが認識された場合に、前記送信手段によって、前記受信機に対して送信される映像データファイルが、動画データ中の複数の静止画像データの一覧を表示した一覧表示データであり、
前記制御信号認識部が、一覧表示データの中に示されている複数の静止画像の中から、所定の静止画像を選択する操作を指示する制御信号と、動画再生を指示する制御信号とを受信した場合、前記ファイル操作部が、選択した静止画像データを含む動画データとしての映像データファイルを読み出し、前記送信手段が、該映像データファイルを前記受信機に送信することを特徴とする請求項１〜３のいずれか一項に記載の映像送信装置。
【請求項１９】
映像データを、請求項１〜１８のいずれか一項に記載の映像送信装置から、通信網を介して受信機に送信し、受信機と接続している表示装置で、この映像データを再生する映像伝送システムに備えられた受信機であって、
当該受信機の動作を制御する受信機制御手段と、受信機に関する情報を管理する受信機情報管理テーブルを含む記憶手段とを備え、
前記受信機制御手段が、
受信機情報管理テーブルに含まれる情報に基づいて、接続要求データを生成する接続要求データ生成部と、
映像送信装置から送信された圧縮映像データを復号化しアナログデータに変換する復号化手段とを有しており、
起動状態になった場合に、接続要求データを映像送信装置に送信することを特徴とする受信機。
【請求項２０】
外部入力手段からの操作信号を受信する操作信号受信部をさらに備え、
前記受信機制御手段が、外部入出力手段からの操作信号を、映像送信装置が受信可能な制御信号に変換する制御信号変換部を備えることを特徴とする請求項１９に記載の受信機。
【請求項２１】
前記請求項１〜１８に記載の映像送信装置と前記請求項１９または２０に記載の受信機とから構成されること特徴とする映像伝送システム。
【請求項２２】
受信機が接続を要求するために送信する接続要求データに基づいて、当該映像送信装置の動作を制御する映像送信装置制御手段と、映像データをファイル形式で記憶している記憶手段とを備え、
前記映像送信装置制御手段が、
前記接続要求データを認識する接続要求データ認識部と、
前記記憶手段に記憶されている映像データファイルを読み出す、ファイル操作部と、
前記ファイル操作部によって読み出された映像データファイルを前記受信機に対して送信する送信手段とを有する映像送信装置を用いた映像送信方法であって、
前記受信機から通信網を介して受信した接続要求データに基づいて、接続要求認識部が受信機に関する情報を認識するステップと、
この認識結果に基づいて、ファイル操作手段が映像データを読み出すステップと、
映像データを受信機に送信するステップとを特徴とする映像伝送方法。
【請求項２３】
請求項１〜１８の何れか１項に記載の映像送信装置を動作させるためのプログラムであって、コンピュータを上記各手段として機能させるための映像送信プログラム。
【請求項２４】
請求項２３に記載の映像送信プログラムが記録されたコンピュータの読み取り可能な記録媒体。
【発明の詳細な説明】
【技術分野】
【０００１】
本発明は、無線を使用し、ディジタル化した画像データを送受信する装置に関するものである。
【背景技術】
【０００２】
（ＴＶにおける映像の視聴）
従来から、「映像を視聴するという行為」に関しては、テレビ受像機（ＴＶ）の活用が一般的であった。また、ユーザは、ビデオテープレコーダ／ＤＶＤレコーダ等（映像録画再生装置）を活用して、リアルタイムに発信された映像のみならず、ユーザの所望の時間に、所望のコンテンツの映像を視聴することも可能になった。
【０００３】
さらに近年では、テレビと映像録画再生装置との間を無線によって接続し、この映像録画再生装置によって記録した映像信号をディジタル化して、離れた場所に設置されたＴＶに伝送する映像無線伝送システムが実用化されている。
このようなシステムの例としては、図１０に示す無線伝送システムが挙げられる。
図１０は、ビデオテープレコーダ/ＤＶＤレコーダ（映像録画再生装置）１０５とＴＶ１０３との間における無線伝送システムを示すブロック図である。
【０００４】
図１０に示されるシステムでは、ビデオテープレコーダ/ＤＶＤレコーダ１０５が送信機１０１に接続されている。一方、受信機１０２には、ＴＶ１０３が接続されている。さらに、この送信機１０１と受信機１０２とは無線によって接続されている。
【０００５】
このような構成において、まず、ビデオテープレコーダ/ＤＶＤレコーダは、アナログのオーディオ／ビデオ（アナログＡ／Ｖ）信号である、映像データを送信機１０１に送信する。
そして、送信機１０１は、自身に内蔵しているＭＰＥＧエンコーダ１０６よって、この映像データをＭＰＥＧ（moving picture experts group）の符号化方式にエンコードする。次に、ＭＰＥＧエンコーダ１０６によってディジタル化されたこの映像データ（ＭＰＥＧデータ）は、無線を介して受信機１０２に送信される。
受信機１０２は、受信したこの映像データを、ＭＰＥＧデコーダ１１０によって復号化し、アナログＡ／Ｖ信号に変換する。そして、受信機１０２は、変換したこのデータを、自身に接続されているＴＶ１０３で再生する。
【０００６】
なお、この映像データの送受信の制御は、テレビ１０３からのリモコン１０４の操作によって行われている。すなわち、受信機１０２および送信機１０１それぞれに備えられている、リモコン制御装置１１１を介して、映像録画再生装置１０５に操作信号が送られることによって実現できる。
【０００７】
また、特許文献１では、無線ネットワークにおいて、広帯域のデータストリームのリアルタイム伝送を実現するシステムが提案されている。
（ＰＣ間における映像データの伝送例）
さらに、近年では通信技術の進歩およびパーソナルコンピュータ（ＰＣ）の性能向上にともなって、ＰＣを利用した映像伝送に関する技術が普及している。
例えば、一方のＰＣにおいて、映像データを記憶しており、ユーザが、他方のＰＣからこの映像データに対する送信要求を行う。他方のＰＣからの送信要求を受けた一方のＰＣは、この映像データを他方のＰＣに送信し、他方のＰＣにおいてこの映像の再生が行われるといった操作が一般的に行われている。
【０００８】
また、このような具体例として、図１１に示すシステムがある。図１１は、従来技術を示すものであり、伝送媒体として無線を用いて２台のＰＣ（２０１・２０２）との間における無線伝送システムの要部構成を示す図である。
図１１に示すように、このシステムでは、伝送媒体として無線を用いて２台のＰＣ（２１１・２１２）を接続している。そして、これら２台のＰＣ（２１１・２１２）のうち、まず送信側ＰＣ２０１において、映像データが、ファイル形式で記憶されている。
【０００９】
この映像データは、例えば、送信側ＰＣ２０１の外部に設けられたテレビチューナ（不図示）等から送信された放送信号等のアナログＡ／Ｖデータである。
そして、この映像データは、送信側ＰＣ２０１に備えられているＭＰＥＧエンコーダ２０３によって、アナログＡ／Ｖ信号から、ＭＰＥＧの符号化方式に符号化され、ディジタルデータに変換される。そして、このディジタルデータに変換された映像データは、ファイル形式で送信側ＰＣ２０１のハードディスク２０５に記憶されている。
【００１０】
一方、送信側ＰＣ２０１と無線を介して接続している他方のＰＣ（受信側ＰＣ２０２）は、送信側ＰＣ２０１に記憶された映像データのファイルを指定することによって、この映像データを受信する。なお、映像データのファイルの指定は、受信側ＰＣに備えられたキーボードまたはマウス等（外部入力手段）２１０を使って行われる。
そして、この映像データが、送信側ＰＣ２０１から受信側ＰＣ２０２に送信されると、受信側ＰＣ２０１は、ＭＰＥＧデコーダ２０８によって、このデータを復号化する。復号化されたこのデータは、受信側ＰＣに内蔵された映像表示ソフトウェア２０９等を使って、ＰＣ２０２のモニタ上に表示される。
【００１１】
（ＰＣを使った録画再生装置とＴＶの遠隔再生例）
さらにここで、上記した、遠隔にある映像録画再生装置から映像データを取得してＴＶで再生する、無線送受信機を利用したシステムと、複数のＰＣを用いて映像データをやり取りするシステムとを組み合わせた映像伝送システムも考えられる。すなわち、この映像伝送システムは、送信側ＰＣに記憶した映像データを、この送信側ＰＣとは離れた場所にある受信機から読み出して、ＴＶモニタを使って映像データの映像を視聴するものである。実際、ＰＣを用いて映像を扱う機会が増すにつれ、ＰＣに記憶させた映像をＰＣに備えられたモニタ等によって視聴するよりも、ＰＣが設置されている場所とは異なる場所にある、ＴＶモニタによって視聴したいという要望が多くなっている。
【００１２】
ところが、ユーザが、ＰＣに記憶されている映像データを、ＴＶのモニタで視聴する場合、以下の問題点が生じる。
【００１３】
つまり、ＰＣにおいて記憶される映像データは、すべてファイルとして取り扱われる。そこで、ＰＣに記憶されている映像データを再生するためには、この映像データのファイルを操作するための手段が必要となる。このファイルの操作は、映像データを記憶している送信機側と、映像データを読み出して、再生する受信機側とが、共にＰＣであれば、問題とはならない。受信機（ＰＣ）に備えられた外部入力手段によって、記憶された映像データのファイルを指定し、所望の映像データを受信機に備えられたモニタで再生することができるからである。
【００１４】
しかし、受信機側がＴＶモニタによって映像を再生する場合は、上記したＰＣ同士のファイル送受信と同様な手順では、映像データを再生することができない。つまり、ＴＶでは、アナログＡ／Ｖ信号として入力した映像データを再生することしか想定されていない。
さらに、ＴＶは、ＰＣに記憶されている映像ファイルを操作するための外部入力手段が備わっていないのである。
【００１５】
特許文献２では、映像データを記憶しているＰＣ（ホームサーバ）と、ＴＶとの組み合わせにおいて、ＭＰＥＧデータである映像データをＰＣからＭＰＥＧデコーダに送信し、ＴＶモニタに再生させるシステムが提案されている。
【特許文献１】特開２００２−１３５３０４号公報（２００２年５月１０日公開）
【特許文献２】特開２００３−０４６９２８号公報（２００３年２月１４日公開）
【発明の開示】
【発明が解決しようとする課題】
【００１６】
しかしながら、特許文献２では、リモコンを用いて、受信機側からＰＣにある映像データに対する操作を指示する構成が示されている。この構成によると、ＰＣから受信機側への映像データの送信は、常にリモコン等の外部入力手段の操作指示に基づいて、行うことになる。また、早送り再生、スロー再生等のトリック再生を行うことを目的とした構成であるため、それぞれの操作を行うための操作キーが必要となる。したがって、受信機側では、映像データに対する操作指示ごとに対応する操作キーが必要となる。
【００１７】
ところが、ＴＶに従来から備えられているリモコンは、ユーザの操作が煩雑とならないように限られた操作キーしか搭載していない。このため、従来からＴＶで映像を視聴する際に用いていたリモコンに、最低限の操作キーを搭載することによって、ＰＣに保持されている映像データの映像を視聴できることは重要な課題となる。
【００１８】
また、映像データを記憶したＰＣと、映像データを受信する受信機とからなるシステムにおいて、従来のＰＣでは、受信機の機能を判定して、この受信機に応じた映像データの伝送方式を選択する構成を有していない。
【００１９】
すなわち、ＰＣが、ＭＰＥＧ符号化方式などで圧縮した映像データを、受信機に送信する場合、この送信には、いくつかの伝送信号方式が考えられる。例えば、データが、データの伝送時において誤りの起こる可能性のある伝送路で送信される場合や、送信側と受信側の間の時間遅れが許容されない場合は、ＰＣから受信機へのデータの伝送は、一般的にトランスポートストリーム（ＴＳ；Transport stream）方式で行われる。一方、データが、データの伝送時において誤りの起こりにくい伝送路で送信される場合や、受信機側にＤＶＤレコーダー等の蓄積型メディアを備えているなどの理由により、送信側と受信側の間で時間遅れが許容されている場合は、プログラムストリーム（ＰＳ；Program stream）方式でＰＣから受信機に伝送される。
このように、ＰＣは、受信機に応じてデータの伝送方式を選択する必要がある。
【００２０】
本発明は、上記の問題点に鑑みてなされたものであり、その目的は、ＰＣに保持されている映像データの選択、再生、停止を最小限の操作によって可能とするＰＣ、受信機、およびこれらから構成されるシステムを提供することである。さらには、受信機の機能に合わせて、映像データをＰＣから送信し、ＴＶでその映像データを視聴可能とするＰＣ、受信機、およびこれらから構成されるシステムを提供することである。
【課題を解決するための手段】
【００２１】
上記した目的を達成するために、本発明にかかる映像送信装置（本映像送信装置）は、
映像データを映像送信装置から、通信網を介して受信機に送信し、受信機と接続している表示装置で、この映像データを再生する映像伝送システムに備えられた映像送信装置であって、当該映像送信装置の動作を制御する映像送信装置制御手段と、映像データをファイル形式で記憶している記憶手段とを備え、上記映像送信装置制御手段が、上記受信機から送信される、当該映像送信装置との通信接続を要求する接続要求データを認識する接続要求データ認識部と、上記記憶手段に記憶されている映像データファイルを読み出すファイル操作部と、上記ファイル操作部によって読み出された映像データファイルを上記受信機に対して送信する送信手段とを有しており、上記接続要求データ認識部によって接続要求データが認識された場合、上記送信手段が、該接続要求データを送信した受信機との接続を確立させるとともに、上記ファイル操作部によって読み出される映像データファイルを、該受信機に送信することを特徴とする。
【００２２】
また、本映像送信装置は、上記映像送信装置制御手段が、接続要求データ認識部による接続要求データの認識結果に基づいて、受信機に送信する映像データファイルの信号方式を変換するデータ変換部を備えていることを特徴とする。
【００２３】
また、上記記憶手段が、受信機を識別する情報と、その受信機において扱うことのできる映像データファイルの信号方式に関する情報とを、受信機の種類ごとに記憶する受信機情報管理テーブルを記憶しており、上記接続要求データ認識部が、接続要求データを解析することによって、該接続要求データを送信した受信機を特定し、受信機情報管理テーブルを参照することによって、特定した受信機が扱うことのできる映像データファイルの信号方式を特定するとともに、上記データ変換部が、上記接続要求データ認識部によって特定された信号方式に、送信する映像データファイルを変換することを特徴とする。
【００２４】
また、本映像送信装置は、上記映像送信装置制御手段が、受信機から送信された制御信号を認識する制御信号認識部を備えており、上記制御信号認識部が、別の映像データに切り換える操作を指示する制御信号の受信を認識した場合、上記ファイル操作部が、読み出している映像データファイルを別の映像データファイルに切り換えることを特徴とする。
【００２５】
また、本映像送信装置は、上記ファイル操作部が、上記記憶手段に記憶されている映像データファイルのうち、所定のファイル名となっている映像データファイルを読み出して、上記送信手段が、該映像データファイルを上記受信機に送信することを特徴とする。
【００２６】
また、本映像送信装置は、上記ファイル操作部が、上記記憶手段に記憶されている映像データファイルのうち、所定のサブディレクトリに格納されている映像データファイルを読み出して、上記送信手段が、該映像データファイルを上記受信機に送信することを特徴とする。
【００２７】
また、本映像送信装置は、上記接続要求データが、受信機が送信を要求する映像データファイルに関する情報をさらに含んでおり、上記接続要求データ認識部が、該接続要求データに含まれる映像データファイルに関する情報を上記ファイル操作部に送信し、上記ファイル操作部が、上記接続要求データ認識部から受信した映像データファイルに関する情報に基づいて、読み出す映像データファイルを決定することを特徴とする。
【００２８】
また、本映像送信装置は、上記接続要求データに含まれている映像データファイルに関する情報が、該映像データファイルのファイル名であることを特徴とする。
【００２９】
また、本映像送信装置は、上記接続要求データに含まれている映像データファイルに関する情報が、上記記憶手段における、該映像データファイルが格納されているサブディレクトリ名であることを特徴とする。
【００３０】
また、本映像送信装置は、上記記憶手段が、記憶している映像データファイルに関する情報を記憶する映像データファイル管理テーブルをさらに記憶しているとともに、上記映像送信装置制御手段が、映像データファイルを上記記憶手段に記憶した日時を、上記映像データファイル管理テーブルに記録する刻時手段をさらに備えていることを特徴とする。
【００３１】
また、本映像送信装置は、上記ファイル操作部が、上記記憶手段に記憶されている映像データファイルのうち、所定の日時の範囲で記憶手段に記憶された映像データファイルを読み出して、上記受信機に送信することを特徴とする。
【００３２】
また、本映像送信装置は、上記接続要求データは、受信機が送信を要求する映像データファイルに関する情報をさらに含んでおり、上記接続要求データ認識部が、該接続要求データに含まれる映像データファイルに関する情報を上記ファイル操作部に送信し、上記ファイル操作部が、上記接続要求データ認識部から受信した映像データファイルに関する情報に基づいて、読み出す映像データファイルを決定するとともに、上記接続要求データに含まれている映像データファイルに関する情報が、該映像データファイルが上記記憶手段に記憶された日時の範囲であることを特徴とする。
【００３３】
また、本映像送信装置は、上記映像送信装置制御手段が、上記受信機から送信された制御信号を認識する制御信号認識部を備えており、上記接続要求データ認識部によって接続要求データが認識された場合に、上記送信手段によって、上記受信機に対して送信される映像データファイルが、動画データ中の静止画像データであり、上記制御信号認識部が、動画再生を指示する制御信号を受信した場合、上記ファイル操作部が、送信した静止画像データを含む動画データとしての映像データファイルを読み出し、上記送信手段が、該映像データファイルを上記受信機に送信することを特徴とする。
【００３４】
また、本映像送信装置は、上記静止画像データが上記受信機に送信された状態で、上記制御信号認識部が、別の映像データに切り換える操作を指示する制御信号の受信を認識した場合、上記ファイル操作部が、送信した静止画像データを含む動画データとは異なる動画データ中の静止画像データとしての映像データファイルを読み出し、上記送信手段が、ファイル操作部によって読み出された映像データファイルを上記受信機に送信することを特徴とする。
【００３５】
また、本映像送信装置は、上記接続要求データに、動画データ中の静止画像データの送信を要求するものであるか否かを示す情報が含まれているとともに、上記接続要求データ認識部が、接続要求データ中に静止画像データの送信を要求する情報が含まれていることを認識した場合に、上記送信手段が、上記受信機に対して動画データ中の静止画像データを送信することを特徴とする。
【００３６】
また、本映像送信装置は、上記映像送信装置制御手段が、上記受信機から送信された制御信号を認識する制御信号認識部を備えており、上記接続要求データ認識部によって接続要求データが認識された場合に、上記送信手段によって、上記受信機に対して送信される映像データファイルが、複数の動画データ中の静止画像データに関する一覧表示データであり、上記一覧表示データが上記受信機に送信された状態で、上記制御信号認識部が、一覧表示データの中に示されている複数の静止画像の中から、所定の静止画像を選択する操作を指示する制御信号の受信を認識するとともに、動画再生を指示する制御信号を受信した場合、上記ファイル操作部が、上記一覧表示の中から選択された静止画像データを含む動画データとしての映像データファイルを読み出し、上記送信手段が、該映像データファイルを上記受信機に送信することを特徴とする。
【００３７】
また、本映像送信装置は、上記接続要求データに、複数の動画データ中の静止画像データの送信を要求するものであるか否かを示す情報が含まれているとともに、上記接続要求データ認識部が、接続要求データ中に静止画像データの送信を要求する情報が含まれていることを認識した場合に、上記送信手段が、上記受信機に対して複数の動画データの一覧を表示した静止画像データを送信することを特徴とする。
【００３８】
また、本映像送信装置は、上記映像送信装置制御手段が、上記受信機から送信された制御信号を認識する制御信号認識部を備えており、
上記接続要求データ認識部によって接続要求データが認識された場合に、上記送信手段によって、上記受信機に対して送信される映像データファイルが、動画データ中の複数の静止画像データの一覧を表示した一覧表示データであり、
上記制御信号認識部が、一覧表示データの中に示されている複数の静止画像の中から、所定の静止画像を選択する操作を指示する制御信号と、動画再生を指示する制御信号とを受信した場合、上記ファイル操作部が、選択した静止画像データを含む動画データとしての映像データファイルを読み出し、上記送信手段が、該映像データファイルを上記受信機に送信することを特徴とする。
【００３９】
また、本発明にかかる受信機（本受信装置）は、映像データを、前記本発明に係る映像送信装置から、通信網を介して受信機に送信し、受信機と接続している表示装置で、この映像データを再生する映像伝送システムに備えられた受信機であって、当該受信機の動作を制御する受信機制御手段と、受信機に関する情報を管理する受信機情報管理テーブルを含む記憶手段とを備え、上記受信機制御手段が、受信機情報管理テーブルに含まれる情報に基づいて、接続要求データを生成する接続要求データ生成部と、映像送信装置から送信された圧縮映像データを復号化しアナログデータに変換する復号化手段とを有しており、起動状態になった場合に、接続要求データを映像送信装置に送信することを特徴とする。
【００４０】
また、本受信機は、外部入力手段からの操作信号を受信する操作信号受信部をさらに備え、上記受信機制御手段が、外部入出力手段からの操作信号を、映像送信装置が受信可能な制御信号に変換する制御信号変換部を備えることを特徴とする。
【００４１】
また、本発明にかかる映像伝送方法は、受信機が接続を要求するために送信する接続要求データに基づいて、当該映像送信装置の動作を制御する映像送信装置制御手段と、映像データをファイル形式で記憶している記憶手段とを備え、上記映像送信装置制御手段が、
上記接続要求データを認識する接続要求データ認識部と、上記記憶手段に記憶されている映像データファイルを読み出す、ファイル操作部と、上記ファイル操作部によって読み出された映像データファイルを上記受信機に対して送信する送信手段とを有する映像送信装置を用いた映像送信方法であって、上記受信機から通信網を介して受信した接続要求データに基づいて、接続要求認識部が受信機に関する情報を認識するステップと、この認識結果に基づいて、ファイル操作手段が圧縮映像データを読み出すステップと、映像データを受信機に送信するステップとを特徴とする。
【００４２】
また、本発明にかかる映像伝送プログラムは、前記本発明に係る映像送信装置を動作させるためのプログラムであって、コンピュータを上記各手段として機能させることを特徴とする。
【００４３】
また、本発明にかかる記録媒体は、上記映像送信プログラムが記録されたコンピュータの読み取り可能な記録媒体である。
【発明の効果】
【００４４】
本映像送信装置は、映像データをファイル形式で保持しており、この映像データを表示装置と接続している受信機に送信するものである。すなわち、本映像送信装置は、例えばパーソナルコンピュータ（ＰＣ）などによって実現できるサーバである。また、本映像送信装置と受信機とは、通信網を介して互いに接続されており、この通信網を利用して互いにデータの送受信を可能としている。
【００４５】
この本映像装送信装置は、記憶手段と映像装置制御手段とを備える。この記憶手段は、外部から取得した映像データをファイル形式で記憶しているものであり、例えばハードディスク等の読み書き可能な不揮発性記憶装置である。
【００４６】
この映像装置制御手段は、本映像装置の動作を制御するものであって、接続要求データ認識部、ファイル操作部、および送信手段を有する。
【００４７】
接続要求データ認識部は、受信機から送信された接続要求データの中にコード化されている情報を認識するものである。すなわち、接続要求データ認識部は、受信機から送信された接続要求データを認識すると、接続要求データの中の情報に基づき、接続要求を行っている受信機を特定し、本映像送信装置と受信機との間における接続を確立させる。さらに、接続要求データ認識部は、ファイル操作部に記憶手段の中から映像データのファイルを読み出すように指示を出す。
【００４８】
ファイル操作部は、映像送信装置がファイル形式で保持している、映像データのファイルの中から、所定のファイルを読み出すものである。ファイルの読み出しは、接続要求データに基づく、接続要求データ認識部からの指示によって行われる。そして、ファイル操作部は、映像データを読み出すと受信機にその映像データを送信する。
【００４９】
本映像送信装置は、このような構成であるため、受信機から接続要求データを受信すると、受信機との接続を確立させ、自身で保持している映像データを受信機に送信することができる。すなわち、受信機が、接続を要求する接続要求データを本映像送信装置に送信するだけで、受信機は、本送信装置が保持している映像データを受信することができる。
【００５０】
したがって、本映像送信装置は、ユーザが受信機側から本映像送信装置に対して、映像データのファイルを読み出したり、そのファイルを送信させたりする操作指示を行うことなく、映像データを受信機に送信できるという効果を奏す。
【００５１】
また、本映像送信装置は、上記構成において、映像送信装置制御部が、さらにデータ変換部を備えている構成である。この、データ変換部は、本映像送信装置に保持されている映像データの信号方式を変換するものである。このデータ変換部は、接続要求データ認識部による接続要求データの認識結果に基づいて、映像データの信号方式の変換を行う。
【００５２】
このように、接続要求データ認識部が、接続要求データを認識し、その結果に基づいて、必要ならば映像データの信号方式を変換して受信機に送信できるため、本映像送信装置は、受信機が受信可能な信号方式にあわせて、映像データを送信するという効果を奏す。
【００５３】
また、本映像送信装置は、上記構成において、記憶手段が、受信機を識別する情報と、その受信機において扱うことのできる映像データファイルの信号方式に関する情報とを、受信機の種類ごとに記憶する受信機情報管理テーブルをさらに記憶している。
そして、本映像送信装置は、接続要求データ認識部が、この接続要求データを解析することによって、該接続要求データを送信した受信機を特定して受信機との接続を確立させる。
また、接続要求データ認識部は、受信機情報管理テーブルを参照することによって、特定した受信機が扱うことのできる映像データファイルの信号方式を特定し、送信する映像データファイルの信号方式を変更させる必要がある場合は、データ変換部に映像データファイルの信号方式の変換を指示する。
【００５４】
したがって、本映像送信装置は、このように構成されているため、受信機の種類ごとに応じて、映像データの信号方式の変換の必要性の有無を管理し、受信機が、この変換を必要とする機種である場合には、映像データファイルを変換して送信することができる。すなわち、本映像送信装置は、受信機の種類に合わせて、必要に応じて、送信する映像データファイルの信号方式を変換できるという効果を奏す。
【００５５】
また、本映像送信装置は、上記構成に加えて、映像送信装置制御手段が、受信機から送信された制御信号を認識する制御信号認識部をさらに備えている。制御信号認識部は、受信機から送信された制御信号を認識し、その信号に含まれる情報に基づいて、映像送信装置制御部の各構成要素に指示を与えるものである。また、この制御信号は、映像送信装置の操作を制御するために用いられる信号である。例えば、この制御信号とは、例えば、圧縮映像データの再生（送信）、圧縮映像データの停止等、映像送信装置側で処理が行われる操作の制御に関する信号である。
また、この信号は、例えば、受信機側に設けられたリモコンなどの外部入力手段を使って、受信機を介して映像送信装置に送信することができる。
【００５６】
それ故、受信機が映像送信装置に対して、制御信号を送信できる機能を有している場合、本映像送信装置は、受信機からの制御信号を認識し、その認識結果に基づく制御を行うことができる。
【００５７】
このため、本映像送信装置は、上記制御信号認識部が、別の映像データに切り換える操作を指示する制御信号の受信を認識した場合、上記ファイル操作部が、読み出している映像データファイルを別の映像データファイルに切り換えることができるという効果を奏す。
【００５８】
また、本映像送信装置は、上記構成において、上記ファイル操作部が、上記記憶手段に記憶されている映像データファイルのうち、所定のファイル名となっている映像データファイルを読み出して、上記送信手段が、該映像データファイルを上記受信機に送信している。なお、ファイル操作部が読み出す映像データファイルの所定のファイル名とは、本映像送信装置において、予め設定されている任意のファイル名である。
【００５９】
このため、本映像送信装置は、受信機からの接続要求データを認識すると、所定のファイル名の映像データファイルを送信するため、受信機側から送信を要求する映像データファイル名を指定する操作を行う必要がないという効果を奏す。また、さらに、この所定のファイル名が、受信機ごとに決められている場合は、本映像送信装置は、ファイル名によって、受信機ごとに、送信するための映像データファイルを管理することができる。
【００６０】
あるいは、本映像送信装置は、上記構成において、上記ファイル操作部が、上記記憶手段に記憶されている映像データファイルのうち、所定のサブディレクトリに格納されている映像データファイルを読み出す。そして、上記送信手段が、この映像データファイルを受信機に送信するように構成することもできる。なお、ファイル操作部が読み出す映像データファイルが格納されている所定のサブディレクトリとは、本映像送信装置において、予め設定されている任意のサブディレクトリである。
【００６１】
このため、本映像送信装置は、受信機からの接続要求データを認識すると、所定のサブディレクトリにある映像データファイルを送信するため、受信機側から送信を要求する映像データファイルがあるサブディレクトリを指定する操作を行う必要がないという効果を奏す。また、さらに、この所定のサブディレクトリが、受信機ごとに決められている場合は、本映像送信装置は、サブディレクトリごとに、受信機に送信するための映像データファイルを管理することができる。
【００６２】
また、本映像送信装置は、上記構成において、受信機が送信を要求する映像データファイルに関する情報をさらに含んでいる接続要求データを受信する。そして、上記接続要求データ認識部が、この接続要求データに含まれる映像データファイルに関する情報を、ファイル操作部に送信するように構成することもできる。
【００６３】
すなわち、本映像送信装置は、上記ファイル操作部が、上記接続要求データ認識部から受信した映像データファイルに関する情報に基づいて、読み出す映像データファイルを決定することができる。このため、本映像装置は、予め受信機に対して送信するための映像データファイルを決めておく必要がないという効果を奏する。また、受信機において、予め送信を要求する映像データファイルが設定されているので、ユーザが送信を所望する映像データファイルを指定する操作が必要ないという効果を奏す。
【００６４】
さらに、この接続要求データに含まれている映像データファイルに関する情報が、該映像データファイルのファイル名とすることもできる。この場合は、受信機において、予め送信を要求する映像データファイルのファイル名が設定されている。それ故、本映像送信装置は、受信機に送信する映像データファイルのファイル名を予め決めておく必要はないという効果を奏す。また、受信機において、予め送信を要求する映像データファイルのファイル名が設定されているので、ユーザが送信を所望する映像データファイルを指定する操作が必要ないという効果を奏す。
【００６５】
あるいは、この接続要求データに含まれている映像データファイルに関する情報が、上記憶手段における、該映像データファイルが格納されているサブディレクトリ名とすることもできる。この場合は、受信機において、予め送信を要求する映像データファイルが格納されているサブディレクトリが設定されている。それ故、本映像送信装置は、接続要求データに含まれるサブディレクトリ名にある映像データファイルを読み出し送信することができるために、受信機に送信する映像データファイルを予め決定しておく必要はないという効果を奏する。また、受信機において、予め送信を要求する映像データファイルが格納されているサブディレクトリ名が設定されているので、ユーザが送信を所望する映像データファイルを指定する操作が必要ないという効果を奏す。
【００６６】
また、本映像送信装置は、上記構成において、記憶手段が、映像データファイル管理テーブルをさらに記憶している。この映像データファイル管理テーブルは、本映像送信装置において、記憶している映像データファイルに関する情報を記憶しているものである。すなわち、この映像データファイル管理テーブルは、例えば映像データファイルが記憶されている記憶手段における位置や、映像データファイルのファイル名や、映像データファイルのサイズなど、記憶手段に記憶されている映像データファイルに関する情報を管理している。
【００６７】
また、本映像送信装置は、映像送信装置制御手段が、映像データファイルを上記記憶手段に記憶した日時を、上記映像データファイル管理テーブルに記録する刻時手段をさらに備えている。
【００６８】
このため、本映像装置は、外部から映像データを取得し、記憶手段にこのデータを記憶した日時を、映像データファイル管理テーブルに記憶させておくことがでる。したがって、本映像送信装置は、この映像データファイル管理テーブルを参照すれば、映像データファイルが記憶手段に記憶された日時を知ることができる。
【００６９】
このような構成によって、本映像送信装置は、上記ファイル操作部が、上記記憶手段に記憶されている映像データファイルのうち、所定の日時の範囲で記憶手段に記憶された映像データファイルを読み出して、上記受信機に送信することができる。この場合、受信機側から送信を要求する映像データファイルを指定することなく、常に決まった所定の日時に、記憶手段に記憶された映像データファイルを、本映像送信装置は送信することができるという効果を奏す。
【００７０】
また、本映像送信装置は、接続要求データ認識部が、送信を要求する映像データファイルに関する情報をさらに含む、接続要求データを認識し、この映像データファイルに関する情報をファイル操作部に送信する。そして、上記ファイル操作部が、上記接続要求データ認識部から受信した映像データファイルに関する情報に基づいて、読み出す映像データファイルを決定する構成とすることもできる。
【００７１】
この構成において、この映像データファイルに関する情報が、該映像データファイルが上記記憶手段に記憶された日時の範囲である場合、本映像送信装置は、接続要求データに基づき、この日時の範囲に記憶された映像データファイルをファイル操作部が読み出して、受信機に送信することができる。
【００７２】
このように、予め受信機に映像データファイルが記憶された日時の範囲を設定しておき、この日時に記憶された映像データを受信機に送信することができる。このため、ユーザが、受信機側から映像データファイルの記憶された日時の範囲を指定する操作を行わなくても、本映像送信装置は、常に決まった日時の範囲に記憶された映像データを送信することができる。
【００７３】
また、本映像送信装置は、上記映像送信装置制御手段が、受信機から送信された制御信号を認識する制御信号認識部を備えている構成である。そして、本映像送信装置は、上記接続要求データ認識部が接続要求データを認識すると、上記送信手段によって、受信機に対して、動画データ中の静止画像データを送信する。
【００７４】
このような構成において、本映像送信装置は、上記制御信号認識部が、動画再生を指示する制御信号を受信した場合、上記ファイル操作部が、送信した静止画像データを含む動画データとしての映像データファイルを読み出すようになっている。そして、上記送信手段が、この読み出した映像データファイルを、受信機に送信する。すなわち、本映像送信装置は、静止画像を再生しているときに、動画再生を指示する制御信号をユーザから、受信機を介して本映像送信装置に送ることで、その再生している静止画像を含む動画データを再生させることができる。また、この動画再生を指示する制御信号は、例えば受信機側に設けられたリモコン等の外部入力手段に、この再生を指示する操作キーを搭載することによって実現できる。
【００７５】
このため、ユーザは、この映像送信装置から送信された静止画像データを再生させて、この静止画像データを含む映像データの中身を確認することができる。そして、ユーザは、静止画像で映像データの中身を確認して、その静止画像を含む動画データを送信して再生することができるという効果を奏す。
【００７６】
さらに、上記のように、静止画像データが受信機に送信された状態で、本映像送信装置は、上記制御信号認識部が、別の映像データに切り換える操作を指示する制御信号の受信を認識した場合、上記ファイル操作部が、送信した静止画像データを含む動画データとは異なる動画データ中の静止画像データとしての映像データファイルを読み出す。そして、上記送信手段が、ファイル操作部によって読み出された映像データファイルを上記受信機に送信することができる。また、この別の映像データに切り換える操作を指示する制御信号は、例えば受信機側に設けられたリモコン等の外部入力手段に、この切り替えを指示する操作キーを搭載することによって実現できる。
このため、ユーザが、映像データファイルの静止画像を確認して、所望する静止画像で無いときは、切り替え操作によって別の映像データファイルを選択できるという効果を奏する。
【００７７】
また、本映像送信装置は、上記接続要求データに、動画データ中の静止画像データの送信を要求するものであるか否かを示す情報が含まれている場合において、上記接続要求データ認識部が、接続要求データ中に静止画像データの送信を要求する情報が含まれていることを認識したときに、上記送信手段が、受信機に対して動画データ中の静止画像データを送信するように構成することができる。すなわち、接続要求データに、動画データ中の静止画像データを送信を要求する情報が含まれている場合、本映像送信装置は、受信機が送信を要求する映像データの動画データ中の静止画像を送信する構成である。
【００７８】
このため、本映像送信装置は、受信機が送信を要求する映像データの動画データ中の静止画像の送信を要求する場合は、この静止画像を送信することになる。したがって、ユーザは、静止画像を確認してその静止画像に対応する映像データを再生するという効果を奏す。また、本映像送信装置は、受信機から送信された接続要求データの情報に基づいて、送信を要求されている映像データの静止画像を、送信するか否かの決定が行われる構成であるため、受信機が映像データの静止画像を要求するか、否かという、受信機の設定にあわせて、映像データの送信を行うことができる。
【００７９】
また、本映像送信装置は、映像送信装置制御手段が、受信機から送信された制御信号を認識する制御信号認識部を備えている構成である。そして、さらに本映像送信装置は、接続要求データ認識部によって接続要求データが認識された場合に、送信手段によって、複数の動画データ中の静止画像データに関する一覧表示データが、上記受信機に対して送信されるように構成されている。なお、この一覧表示データとは、ファイル操作部によって、記憶手段から複数の映像データファイルが読み出され、これら映像データファイルそれぞれの動画データ中の静止画像を一覧に配して示した静止画像データである。
【００８０】
また、この一覧表示データは、次の処理によって実現できる。つまり、ファイル操作部が、記憶手段の中から複数の映像データファイルを読み出し、そして、それぞれの静止画像を送信手段に送る。この送信手段は、この複数の静止画像を一覧に配した静止画像にして、受信機に送信する。
【００８１】
このように本映像送信装置は構成されているために、ユーザは、受信機が本映像送信装置に接続要求データを送信することによって、本映像送信装置から複数の映像データを一覧にした静止画像を再生することができる。したがって、一度に、ユーザは複数の映像データに関する静止画像を視聴して、この映像データの内容を確認できる効果を奏す。
【００８２】
さらに、この一覧表示データが上記受信機に送信された状態で、本映像送信装置は、制御信号認識部が、一覧表示データの中に示されている複数の静止画像の中から、所定の静止画像を選択する操作を指示する制御信号の受信を認識するとともに、動画再生を指示する制御信号を受信した場合、上記ファイル操作部が、上記一覧表示の中から選択された静止画像データを含む動画データとしての映像データファイルを読み出し、上記送信手段が、該映像データファイルを上記受信機に送信する。
【００８３】
したがって、ユーザは、複数の映像データの中身を確認しながら、この一覧表示データに示されている複数の静止画像の中から、所望の映像データの静止画像を選択し、この静止画像に対応した映像データを再生することができる効果を奏す。
【００８４】
なお、一覧表示データに示されている複数の静止画像の中から所望の静止画像を選択する方法としては、次のような操作によって実現できる。例えば、一覧に表示されている静止画像の１つには、選択を示す表示が配されており、外部入力手段に搭載された、切り換えを示す操作キーを入力することによって、その表示が切り換わる。そして、ユーザが視聴を所望する映像の静止画像に、この表示が配されたときに、ユーザは、外部入力手段に搭載された、再生を示す操作キーを入力する。このように、外部入力手段を用いたこの２つの操作によって、一覧表示データの中の静止画像を選択することが実現できる。
【００８５】
また、本映像送信装置は、上記接続要求データに、複数の動画データ中の静止画像データの送信を要求するものであるか否かを示す情報が含まれている。そして、本映像送信装置は、上記接続要求データ認識部が、接続要求データ中に静止画像データの送信を要求する情報が含まれていることを認識した場合に、上記送信手段が、上記受信機に対して複数の動画データの一覧を表示した静止画像データを送信する構成である。
【００８６】
そして、本映像送信装置は、上記映像送信装置制御手段が、上記受信機から送信された制御信号を認識する制御信号認識部を備える構成である。
【００８７】
このような構成において、上記接続要求データ認識部によって接続要求データが認識された場合に、本映像送信装置は、送信手段によって、受信機に対して送信される映像データファイルが、動画データ中の複数の静止画像データの一覧を表示した一覧表示データである。また、記制御信号認識部が、一覧表示データの中に示されている複数の静止画像の中から、所定の静止画像を選択する操作を指示する制御信号と、動画再生を指示する制御信号とを受信した場合、ファイル操作部が、選択した静止画像データを含む動画データとしての映像データファイルを読み出す。そして、送信手段が、該映像データファイルを上記受信機に送信する。
【００８８】
このため、本映像送信装置は、受信機が送信を要求する映像データの複数の静止画像の送信を要求する場合は、この複数の静止画像を一覧にした静止画像（一覧表示データ）を送信することになる。したがって、ユーザは、一覧表示された静止画像を確認することができる。そして、ユーザは、その一覧表示されている複数の静止画像の中から、所望の静止画像を選択し、選択された静止画像に対応する映像データを再生するという効果を奏す。また、本映像送信装置は、受信機から送信された接続要求データの情報に基づいて、送信を要求されている映像データの静止画像の一覧表示データを、送信するか否かの決定が行われる構成であるため、受信機が映像データの静止画像の一覧表示データを要求するか、否かという、受信機の設定にあわせて、映像データの送信を行うことができる。
【００８９】
また、本発明にかかる受信機（本受信装置）は、上記本発明に係る映像送信装置から、通信網を介して映像データを受信し、自身と接続している表示装置で、この映像データを再生するものである。
この受信機は、自身の動作を制御する受信機制御手段と、受信機に関する情報を管理する受信機情報管理テーブルを含む記憶手段とを備えている。また、この受信機制御手段は、受信機情報管理テーブルに含まれる情報に基づいて、接続要求データを生成する接続要求データ生成部と、映像送信装置から送信された圧縮映像データを復号化しアナログデータに変換する復号化手段とを有している。なお、受信機に関する情報とは、受信機の機種や、受信機の受信可能な信号方式や、受信機に設定されている機能などに関する情報である。そして、この情報は、受信機管理テーブルに記憶され、管理されている。
【００９０】
また、受信機は、起動状態になった場合に、接続要求データを映像送信装置に送信するように構成されている。この起動状態とは、例えば、受信機に電源が入力されることによって実現できる。このため、受信機が、起動すると、接続要求データ生成部が、受信機情報を含んだ接続要求データを映像送信装置に送信することができる。
【００９１】
したがって、受信機が起動さえすれば、映像送信装置に映像データファイルの送信を要求できるため、ユーザは、特に受信機に操作指示などを入力する外部入力手段を必要としないという効果を奏す。
【００９２】
また、本受信機は、復号化手段が、映像送信装置から送信された映像データを復号化し、アナログデータに変換させるために、アナログデータを入力信号とする例えばテレビなどの表示装置を利用して、この映像データの映像を再生することができる。
【００９３】
また、本受信機は、上記構成において、外部入力手段からの操作信号を受信する操作信号受信部をさらに備えている。そして、上記受信機制御手段が、外部入出力手段からの操作信号を、映像送信装置が受信可能な制御信号に変換する制御信号変換部をさらに有している。
このため、本受信機は、外部入力手段から送信された操作信号を受信して、映像送信装置が認識できる制御信号に変換し、映像送信装置に送信することができる。なお、この外部入力手段は、例えばリモコンなどの装置によって実現できる。また、この操作信号は、受信機側から、映像送信装置の操作に対して要求する、制御指示に関する情報を含む信号である。この信号は、制御信号変換部が、映像送信装置が受信可能な制御信号に変換することによって、映像送信装置に伝送される。
【００９４】
このため、本受信機は、ユーザが、外部入力手段を用いて、映像送信装置の操作に関する制御を可能とする効果を奏す。
【００９５】
また、本発明にかかる映像伝送システム（本映像伝送システム）は、記憶手段と、接続要求データ認識部、ファイル操作部、および送信手段を有する映像装置制御手段とを備える映像装送信装置と、接続要求データ生成部および復号化手段を有している受信機制御手段と、受信機情報管理テーブルを記憶する記憶手段とを備える受信機とから構成されている。
このため、受信機は、接続要求データを生成して、映像送信装置に送信することができる。また、映像送信装置は、この接続要求データを認識して、接続を要求している受信機を特定し、接続を確立させる。そして、映像送信装置は、この映像データを受信機に送信することができる。さらに、受信機は、この送信された映像データを受信して、復号化しアナログデータに変換して表示装置にデータを送信するため、この表示装置においてこの映像データの再生を行うことができるという効果を奏する。
【００９６】
また、本発明にかかる映像伝送方法（本映像伝送方法）は、上記受信機から通信網を介して受信した接続要求データに基づいて、接続要求認識部が受信機に関する情報を認識するステップと、ファイル操作手段が映像データを読み出すステップと、送信手段が映像データを受信機に送信するステップとを有する。
【００９７】
このため、本映像伝送方法は、受信機から送信された接続要求データを、接続要求認識部が認識し、受信機を特定することで、映像送信装置と受信機との間の接続を確立させる。また、ファイル操作手段が、映像データを読み出して、送信手段によって読み出した映像データファイルを受信機に送信することとなる。
【００９８】
したがって、受信機から接続要求データを送信することによって、映像データファイルが受信機に送信されるので、特にユーザが、映像送信装置において読み出される映像データファイルを指定したりする操作を行う必要がない。つまり、ユーザは、この操作を行うための外部入力手段を有していなくても、映像送信装置に保持された映像データを再生できるという効果を奏す。
【発明を実施するための最良の形態】
【００９９】
本発明の一実施形態について図１ないし図９に基づいて説明する。
図１は、無線によって互いに接続されているＰＣ１と受信機２とにおける、映像データの伝送にかかる映像伝送システムを示す図である。
本実施の形態にかかるシステム（本システム）は、ＰＣ１に記憶されている映像データを、無線ＬＡＮを介して受信機２に送信し、受信機２に接続されているＴＶ３のモニタによって、映像を視聴するためのシステムである。なお、本実施形態では、ＰＣ１と受信機２とは、互いに無線ＬＡＮによって接続されている構成であるが、これに限定されるものではなく、無線による通信が可能な構成であればどのような通信形態であってもよい。また、無線に限らず、ＰＣ１と受信機２とが有線で接続されている構成としてもかまわない。
また、本システムは、ＰＣ（映像送信装置）１、およびＴＶ３と接続している受信機２から構成されている。そして、ＰＣ１には、外部に設置された、例えばテレビチューナ等から、映像データとしてアナログＡ／Ｖ信号が入力される。
【０１００】
上記ＰＣ１は、図１に示すように、処理部（映像送信装置制御手段）６、記憶手段１２、映像送信装置入出力手段１６を備えている。
【０１０１】
処理部６は、ＰＣ１における各種処理を制御・実行するものである。なお、本実施形態における処理部６の詳細な構成については後述する。
【０１０２】
記憶手段１２は、ＰＣ１に設けられたハードディスクなどの読み書き可能な不揮発性記憶装置である。そして、この記憶手段１２には、外部から受信した圧縮映像データのファイルが記憶されている、映像ファイル記憶手段１５が含まれている。なお、この圧縮映像データは、ＭＰＥＧデータなどに圧縮された映像データである。
【０１０３】
さらに、この記憶手段１２には、受信機情報管理テーブル１３および映像データファイル管理テーブル１４を含む。この受信機情報管理テーブル１３は、ＰＣ１と無線ＬＡＮを介して接続する受信機２に関する、各種属性情報を有するものである。なお、受信機２に関する各種属性情報とは、ＰＣ１に接続要求を行っている受信機２を識別する情報、受信機２において扱うことのできる圧縮映像データの信号方式に関する情報、受信機２の機種に関する情報など、ＰＣ１が接続要求のあった受信機２に圧縮映像データを送信するにあたり必要とされる情報である。
【０１０４】
また、映像データファイル管理テーブル１４は、ＰＣ１で保持されている圧縮映像データのファイルに関する各種属性情報を有するものである。この映像データのファイルに関する各種属性情報とは、例えば、ＰＣ１に記憶されている映像データのファイル名、映像データが記憶されているサブディレクトリ、映像データが記憶された日時、記憶されている映像データの伝送信号方式などのデータである。
【０１０５】
映像送信装置入出力手段１６は、受信部１７および送信部１８を備える。そして、この受信部１７および送信部１８は、ＰＣ１と受信機２との間で、無線ＬＡＮでの接続を確立し、ＰＣ１から受信機２に圧縮映像データを送信するように、信号の入出力を行うためのものである。
【０１０６】
次に、処理部（映像送信装置制御手段）６の構成について説明する。この処理部６は、エンコーダ部８、接続要求データ認識部７、ファイル操作部９、データ変換部１０、送信手段５、および刻時手段１１を備える。
このエンコーダ部８は、ＰＣ１の外部から入力された映像データを、アナログＡ／ＶデータからＭＰＥＧデータにエンコードする処理を行うものである。エンコーダ部８によって変換された、圧縮映像データは、ファイル操作部９に送られる。
【０１０７】
接続要求データ認識部７は、受信機２から送信された接続要求データ（後述）を、受信部１７を介して受け取り、この接続要求データの情報を読み取る。そして、接続要求データ認識部７は、記憶手段１２の受信機情報管理テーブル１３を参照して、この接続要求データに基づき、データ変換部１０に、送信する映像データの伝送信号方式に関する指示を出す。また、接続要求データ認識部７は、記憶手段１２の映像データファイル管理テーブル１４を参照して、この接続要求データに基づき、ファイル操作部９に対して、映像ファイル記憶手段１５から圧縮映像データのファイルを読み出すように指示を出す。
【０１０８】
ファイル操作部９は、エンコーダ部８から映像データを受け取った場合、この映像データをファイル形式で、映像ファイル記憶手段１５に記憶させる。また、接続要求データ認識部７から出された指示に基づき、映像ファイル記憶手段１５から所望される圧縮映像データを読み出す。そして、データ変換部１０にこの映像データを送る。
【０１０９】
データ変換部１０は、映像ファイル記憶手段１５に記憶されている圧縮映像データの伝送信号を、送信先の装置（受信機２）の機種に応じて、トランスポートストリーム（ＴＳ）に変換するものである。すなわち、データ変換部１０は、受信機２が、ＴＳの信号方式に変換する必要がある場合、記憶されている映像データをＴＳの信号方式に変換する。
【０１１０】
送信手段５は、受信機２からの接続要求に応じて、受信機２との接続を確立させるものである。また、ファイル操作部９によって読み出された映像データファイルを前記受信機に対して送信するものである。
【０１１１】
刻時手段１１は、外部から取得した映像データファイルを、ファイル操作部９が、映像ファイル記憶部に記憶する場合における日時を記録するためのものである。この映像データファイルの記憶された日または時間の情報は、映像データファイル管理テーブル１４に記録され、管理されている。
【０１１２】
このように、本実施の形態では、ＰＣ１に記憶されている映像データがＰＳ方式で保持されており、受信機がこの映像データを受信可能とする信号方式がＴＳ方式の場合は、この信号方式をＰＳからＴＳに変換する構成である。また、この信号方式の変換は、接続要求データ認識部７からの指示に基づき決定されている。なお、ＰＣ１に記憶されている映像データはＰＳ以外の別の信号方式で保持され、受信機２が受信可能なＴＳ、またはそれとは別の信号方式に変換するものであってもよい。
【０１１３】
以上のような構成の処理部６は、例えばＣＰＵ（Central Processing Unit）が、上記エンコーダ部８、接続要求データ認識部７、ファイル操作部９、データ変換部１０、送信手段５、および刻時手段１１からなる各機能ブロックにおける処理動作を実現するためのプログラムを実行することによって実現することができる。
また、これらのプログラムは、例えば記憶手段１２に記憶されており、必要時に処理部３１が備えるＲＡＭなどの作業領域記憶手段（不図示）に読み出されてＣＰＵによって実行されることになる。
上記プログラムを記憶する記憶手段１２は、ハードディスクなどの不揮発性記録媒体によって構成することができる。
また、各種リムーバブルメディアに上記プログラムが記憶されており、必要時にこのリムーバブルメディアからプログラムが読み出されることによって実行される形態でもよい。
また、上記プログラムは、通信ネットワークを介して外部からダウンロードされて実行されるようになっていてもよい。
【０１１４】
なお、本システムにおいて、ＰＣ１に記憶されている映像データを記録し、無線ＬＡＮを介して受信機２に送信する装置としてＰＣ１を用いているが、これに限定されるものではない。例えば、本システムでは、ＰＣ１の代わりに、ハードディスクレコーダに無線送信機を組みこんだものを用いることもできる。
【０１１５】
この場合、上記プログラムを記憶する記憶手段は、例えば、フラッシュＥＥＰＲＯＭなどの不揮発性ＩＣメモリなどの不揮発性記録媒体によって構成することもできる。
また、この場合、上記処理部３１は、上記各機能ブロックを実現するＩＣによって構成されていてもよい。
【０１１６】
一方、上記受信機２は、図１に示すように、受信機入出力手段２５、記憶手段２３、および処理部（受信機制御手段）１９を備える。また、この受信機２は、自身の外部に設けられたＴＶ３と接続されている。
【０１１７】
受信機入出力手段２５は、送信部２６および受信部２７からなる。この送信部２６および受信部２７は、受信機２とＰＣ１との間で、無線ＬＡＮによる接続を確立させ、ＰＣ１から圧縮映像データを受信するように、信号の入出力を行うためのものである。
【０１１８】
記憶手段２３は、受信機２に設けられた書き換え可能なＲＯＭなどの不揮発性記憶装置である。また、この記憶手段２３は、受信機情報を含んでいる。この受信機情報とは、受信機２で扱えるデータの伝送信号方式など受信機２に関する情報である。そして、この受信機情報は、記憶手段２３に含まれる、受信機情報管理テーブルに記録され、管理されている。
【０１１９】
リモコン操作信号受信部２２は、リモコン４からの操作信号を受信して、制御信号生成部２４に送るものである。
【０１２０】
処理部１９は、デコーダ部（復号化手段）２１、および接続要求データ生成部２０を備える。そして、処理部１９は、受信機２における各種処理を制御・実行するものである。
【０１２１】
デコーダ部２１は、ＰＣ１から送信された圧縮映像データを復号化し、アナログＡ／Ｖ信号に変換して、ＴＶ３に送信する。
【０１２２】
接続要求データ生成部２０は、受信機情報管理テーブル３１に記録されている受信機情報に基づいて、接続要求データを生成し、送信部２６に送るものである。なお、接続要求データについては後述する。
【０１２３】
（接続要求データについて）
ここで、接続要求データについて図２を参照して詳述する。
図２（ａ）〜（ｃ）は、接続要求データのデータ構造の一例を示す図である。
接続要求データは、受信機２からＰＣ１に送信されるデータである。そして、この接続要求データには、受信機２から接続要求があったことをＰＣ１が認識するとともに、ＰＣ１が接続要求をした受信機２を特定するための情報が含まれている。この受信機２を特定するためのデータとは、どの受信機２から接続要求があったか、接続要求をしている受信機２の機種は何であるか、この受信機２はどのような方式のデータ信号を、受信することができるかなどに関するデータである。
【０１２４】
図２（ａ）に示すように、接続要求データは、概略的には、制御コードと受信機コードとから構成される。制御コードは、受信機２からＰＣ１に要求するＰＣ１の制御に関する情報を示すコードであり、受信機コードは、受信機２に関する情報を示すコードである。
【０１２５】
例えば、図２（ｂ）に示す接続要求データの場合、制御コードは、ある受信機２からＰＣ１に対して接続を要求していることを示すコードである。つまり、ＰＣ１は、このコードを接続要求データ認識部７によって認識することによって、受信機２から接続要求がされたことを認識することができる。一方、受信機コードは、機種コードであり、接続要求をしている受信機２の機種を示している。つまり、ＰＣ１は、このコードを接続要求データ認識部７によって認識することによって、接続要求をしている受信機２の機種を確認する。そして、受信機情報管理テーブル１３にアクセスして、このテーブルの接続機種に関するデータを参照して、この受信機２がどのような信号方式に対応する機種であるのか特定する。
【０１２６】
また、接続要求データは、例えば、図２（ｃ）に示すようなデータ構造であってもよい。すなわち、接続を要求する制御コードと、ＵＩコードおよびデータ受信信号方式コードからなる受信機コードとによって構成されるデータ構造であってもよい。
この場合、制御コードは、ある受信機２からＰＣ１に対して接続を要求していることを示す。また、受信機コードの中のＵＩコードは、受信機２において、扱うことのできる外部入力手段の種類を示すコードである。例えば、ＰＣ１において、接続要求データ認識部７が、このコードは「リモコン」を示すコードであると認識したとする。この場合、受信機２において、外部入力手段としてリモコンを用いるということが分かる。
データ受信信号方式コードは、受信機２で再生可能な映像データの信号方式を示す。例えば、ＰＣ１において、接続要求データ認識部７が、このコードは「ＴＳ」を示すコードであると認識したとする。この場合、受信機２において再生可能な映像データは、ＴＳ方式のデータであるということが分かる。
【０１２７】
このように、接続要求データにおける受信機コードは、受信機２がＰＣ１に対して、接続を要求する場合、受信機２からＰＣ１に伝える情報の種類やその種類の数に応じて変化する。
【０１２８】
また、これら制御コードと受信機コード（機種コードまたは制御コード・ＵＩコード・データ方式コードなど）とは、例えば、接続要求のデータの中の特定の箇所 (先頭から何バイト目など、)にそれぞれを示す値やコードが配されるように、ＰＣと受信機２の間で予め設定されている。
【０１２９】
（映像データをＴＶモニタで視聴する方法）
（接続の確立）
次に、上記した本実施の形態に係るシステム（本システム）の構成において、ＰＣ１に記憶された圧縮映像データをＴＶ３のモニタ上で視聴する手順を説明する。
図３は、ＰＣ１に記憶された映像データをＴＶにおいて視聴する手順を示すフローチャートである。
【０１３０】
ここで、前提として、ＰＣ１の映像ファイル記憶手段１５にあらかじめ圧縮映像データがファイル形式で記憶されているものとする。
すなわち、この圧縮映像データは、このＰＣ１の外部に備えられた、例えば、テレビチューナなどから取得した映像を、エンコーダ部によって符号化し、圧縮したデータである。アナログＡ／Ｖ信号方式で入力されたアナログ映像データは、エンコーダ部８によってディジタル変換および圧縮処理が施されることによってＭＰＥＧデータに変換される。そして、ＭＰＥＧデータとしての圧縮映像データは、ＰＣ１のファイル操作部９によって記憶手段１２に記憶されることとなる。
【０１３１】
このような前提において、本システムは、次の手順を経て、ＰＣ１に記憶された映像データをＴＶ３において視聴する。
【０１３２】
まず、図３に示すように、ＴＶ３に接続している受信機２は、圧縮映像データを記憶したＰＣ１に対して、接続要求データを送信する（ステップ１、以降、Ｓ１のように称する）。ここで、受信機２からＰＣ１に対する接続要求データの送信は、受信機２において、次の処理を経て行われる。
すなわち、受信機２に電源が入力されアクティブな状態になると、接続要求データ生成部２０が、記憶手段２３の受信機情報を管理テーブル３１から読み出し、接続要求データを生成する。そして、接続要求データは、送信部２６に送られ、送信部２６からＰＣ１の映像送信装置入出力手段１６に送信される。なお、ＴＶ３に従来から備えられている「外部入力切り換え」のキーをオンにすることで、受信機２がアクティブな状態となり、接続要求データを生成する構成でもよい。
【０１３３】
次に、ＰＣ１は、受信機２から接続要求データが送信されたことを接続要求認識部７で確認する（Ｓ２）。ＰＣ１は、受信機２から接続要求データが送信されたことを確認すると、接続要求データ認識部７は、この接続要求データに基づいて、接続要求がなされている受信機２に関する情報を認識する。そして、接続要求データ認識部７は、接続要求を行っている受信機２を特定する（Ｓ３）。つまり、接続要求データに基づき、接続要求データ認識部７は、受信機情報管理テーブル１３の情報を参照して、どの受信機から接続要求があったのかを特定する。
【０１３４】
接続要求データ認識部７において、接続を要求している装置に関して特定がなされると、さらに、接続要求データ認識部７は、接続要求データに基づいて、接続要求した受信機２が、ＰＳ／ＴＳ変換が必要な装置であるかどうかを確認する(Ｓ４)。このようにして、ＰＣ１と無線ＭＰＥＧ受信機２との接続が確立される。
【０１３５】
（映像データの読み出しと送信）
続いて、ＰＣ１が受信機２に対して圧縮映像データを送信し、これを受信機２に接続されたＴＶにおいて、映像を再生する手順を説明する。
ＰＣ１において、圧縮映像データのファイルを読み出す（Ｓ５）。この操作は、ＰＣ１のファイル操作部９が、記憶手段１２の映像ファイル記憶手段１５から圧縮映像データのファイルを読み出すことによって行われる。すなわち、ＰＣ１と受信機２との接続が確立すると、ＰＣ１は、ファイル操作部９が、映像ファイル記憶部１５から、圧縮映像データのファイルを読み出すように設定されている。
【０１３６】
ここで、Ｓ５において、ファイル操作部９が読み出す映像データ（送信用映像データ）のファイルは、予めＰＣ１において設定されている。
【０１３７】
例えば、映像データの送信要求が受信機２からあった場合、ファイル操作部９が、映像ファイル記憶部１５のデータの中から最初に見つけたファイルの圧縮映像データのファイルを読み出すように、ＰＣ１は設定されていてもよい。また、ＰＣ１において、受信機２から接続要求があった場合は、受信機２と対応づけられた所定のファイルの圧縮映像データを、ファイル操作部９が読み出すように設定されていてもよい。この場合、接続要求を行った受信機２ごとに、ファイル操作部９が読み出す所定のファイルを決めておくこともできる。
【０１３８】
さらにまた、ＰＣ１は、外部から取得した映像データを常に決まったファイル名で、映像ファイル記憶手段１５に記憶するように制御されており、受信機２から接続要求が行われた場合、ファイル操作部９が、この決まったファイル名の映像データを読み出すように設定されていてもよい。この場合、予め決まっているファイル名は、ＰＣ１と受信機２との間で、予め決められているファイル名であり、この決まったファイル名の圧縮映像データは、常に最新の圧縮映像データとなる。また、新しい映像データが取得され記憶される以前において、最新であった圧縮映像データは、別のファイル名に書き換えられる。
【０１３９】
また、ＰＣ１は、外部から取得した圧縮映像データを常に決まったサブディレクトリに、記憶するように制御されており、受信機２から接続要求が行われた場合、ファイル操作部９が、この決まったサブディレクトリにある映像データを読み出すように設定されていてもよい。この場合、この決められたサブディレクトリの圧縮映像データは、常に最新の圧縮映像データとなる。なお、この決まったサブディレクトリは、ＰＣ１と受信機２との間で、予め決められている。また、新しい映像データが取得され記憶される以前において、最新であった圧縮映像データは、別のサブディレクトリに移されるようにＰＣ１において制御されている。
【０１４０】
また、ＰＣ１は、外部から取得した圧縮映像データを記憶した日時を記憶しておき、常に決まった日時に、記憶された圧縮映像データを読み出すように制御されていてもよい。この場合、圧縮映像データが映像ファイル記憶部１０に記憶された日時は、刻時手段１１によって記録される。そして、この記録された日時は、映像データファイル管理テーブル１４において記憶されている。
【０１４１】
このように、ファイル操作部９が読み出す映像データのファイルが、ＰＣ１において予め設定されているため、本システムでは、受信機２からＰＣ１に対して、送信を要求する映像データを指定する必要がない。すなわち、ユーザが受信機２を介してＰＣ１に対して要求する操作工程（送信を要求するファイルを指定する工程）を省略する。このため、リモコン４にファイルを指定するための操作キーを設けなくても、ＰＣ１から映像データを取得してＴＶ３で映像を視聴することが可能となる。
【０１４２】
次に、Ｓ４において圧縮映像データのファイルのＰＳ／ＴＳ変換の必要性を確認した結果、この信号方式の変換を行うかどうかを判定する（Ｓ６）。
圧縮映像データのＰＳ／ＴＳ変換を必要とする場合（Ｓ６において「ＹＥＳ」）、この映像データは、データ変換部によって、ＰＳ方式からＴＳ方式に変換される（ステップＳ７）。変換の必要が無い場合は、そのままＳ８に進む。
【０１４３】
次に、ＰＣ１の送信手段５は、送信要求のあった圧縮映像データを、送信部１８から無線ＬＡＮを経由して受信機２の受信部２７に送信する（Ｓ８）。
圧縮映像データがＰＣ１から受信機２に送信されると、受信機２はこの映像データを受信部２７で受信する。受信部２７で受信された圧縮映像データは、デコーダ部２１によって復号化され、ディジタルデータからアナログデータに変換される。そして、アナログＡ／Ｖ信号に変換された映像データは、ＴＶ３に送信される。このようにしてＴＶ３において、映像データが再生される（Ｓ９）。
【０１４４】
なお、上記した処理ステップにおいて、ＰＣ１は、Ｓ４で受信機２の受信可能な信号方式がＴＳまたはＰＳであるかどうか確認している。そして受信機２の受信可能な信号方式がＴＳの場合（Ｓ６において「ＹＥＳ」）、ＰＣ１はＳ７においてデータをＴＳ信号方式に変換させている。しかし、予め受信機２がＴＳ信号方式のみでしかデータを受信することがないと分かっている構成においては、ＰＣ１は、上記したような映像データの信号方式を変換させる必要があるかどうかの判定を行わずに、映像データをＴＳ信号方式に自動的に変換して受信機２に送信する構成であってもよい。
【０１４５】
（送信用映像データのファイルの指定例１）
次に、図４を参照して、映像ファイル記憶手段１５に格納されている圧縮映像データのファイルの中から、ファイル操作部９が送信用映像データのファイルを指定する方法の一例について説明する。より詳細には、受信機２からの接続要求データは、受信機２が送信を要求する圧縮映像データのファイル名に関する情報を含んでおり、その情報に基づき、ファイル操作部９が、圧縮映像データのファイルを読み出す例について説明する。
【０１４６】
図４は、受信機２からＰＣ１に対して、送信用映像データのファイルとして、特定のファイル名を指定する方法を示すフローチャートである。
【０１４７】
図４は、ステップＳ１０〜Ｓ１３までの処理が、図３に示す処理のステップＳ１〜Ｓ４と同じである。すなわち、図３と図４とは、ＰＣ１と受信機２との間で無線ＬＡＮを介して接続が確立されるまでの工程が共通する。ここで、先に説明した図３と共通する処理工程（図４のＳ１０〜Ｓ１３）に関しては説明を省略する。
【０１４８】
接続がＰＣ１と受信機２との間で確立されると、さらに、接続要求データ認識部７は、接続要求データに基づいて、ファイル操作部９に、読み出すべき特定のファイル名の圧縮映像データを指定する（Ｓ１４）。
【０１４９】
ここで、このファイルの指定についての処理工程について詳述する。
受信機２は、アクティブな状態になると、ＰＣ１に接続要求データを送信するように設定されている。この接続要求データは、受信機コードに、記憶手段２３の受信機情報と、送信を要求する圧縮映像データのファイル名に関する情報とを接続要求データの中に含んでいる。このファイル名は、予め受信機２に設定されているものである。例えば、ある受信機２は、特定のファイル名として「ａ」と設定されており、また別の受信機２は、特定のファイル名として「ｂ」と予め受信機２において設定されている。なお、受信機２において、予め設定されているこのファイル名は、ＰＣ１において保持されている圧縮映像データのファイル名と共有するファイル名である。
【０１５０】
そして、ＰＣ１は、受信機２から送信される接続要求データを受信することによって、ファイル操作部９が読み出すファイルを指定する。すなわち、ＰＣ１は、受信機２からの接続要求データを受信した場合、受信機２において、送信を要求する圧縮映像データのファイル名が予め設定されているので、ファイル操作部９が読み出す圧縮映像データのファイル名を、受信機２に対応させて予め設定しておくという作業が省ける。
【０１５１】
次に、接続要求データ認識部７が、ファイル操作部９に、読み出すファイルを指示すると、この指示を受けて、ファイル操作部９は、指定された圧縮映像データのファイルを、映像ファイル記憶手段１５の中から選択し、読み出す（Ｓ１５）。以下、図４においてＳ１５〜Ｓ１９までの処理工程は、図３に示すＳ５〜Ｓ９の処理工程と同じであるため、説明は省略する。
【０１５２】
このようにして、本システムでは、ユーザから特に、送信用映像データの指定をする操作を入力しなくても、予め決められたファイル名から送信用映像データのファイルを読み出して、ＴＶ３でそのファイルに格納されている映像データの映像を視聴することができる。
【０１５３】
（送信用映像データのファイルの指定例２）
次に、図５を参照して、受信機２からＰＣ１に対して、送信用映像データのファイルとして、特定のサブディレクトリにある映像ファイルを指定する方法の一例を示す。より詳細には、受信機２からの接続要求データは、受信機２が送信を要求する圧縮映像データが格納されている特定のサブディレクトリに関する情報を含んでおり、その情報に基づき、ファイル操作部９が、圧縮映像データのファイルを読み出す例について説明する。
【０１５４】
図５は、受信機２からＰＣ１に対して、送信用映像データのファイルとして、特定のサブディレクトリにある送信用映像データのファイルを指定する方法を示すフローチャートである。また、図５に示すＳ２０〜Ｓ２３までの処理が、図３に示す処理のステップＳ１〜Ｓ４と同じであるため、この間の処理工程に関する説明は省略する。
【０１５５】
接続が確立されると、接続要求データ認識部７は、接続要求データに基づいて、特定のサブディレクトリを指定して、ファイル操作部９にそのサブディレクトリにある送信用映像データを読みだすように指示を出す（ステップＳ２４）。この特定のサブディレクトリとは、送信用映像ファイルが格納されているサブディレクトリである。
【０１５６】
ここで、特定のサブディレクトリの送信用映像データを指定する処理工程について詳述する。
【０１５７】
受信機２は、アクティブな状態になると、ＰＣ１に接続要求データを送信するように設定されている。この接続要求データは、受信機２に関する情報と、送信を要求する圧縮映像データのあるサブディレクトリに関する情報とを接続要求データの中に含んでいる。なお、この接続要求データに含まれるサブディレクトリに関する情報は、受信機２において予め設定されている。例えば、ある受信機２は、常に「Ａ」というサブディレクトリの映像データの送信を要求し、別の受信機２では、「Ｂ」というサブディレクトリの映像データの送信を要求するように設定されている。
【０１５８】
このように、予め受信機２において、送信を要求する圧縮映像データが格納されているサブディレクトリが決められている。そして、ＰＣ１は、この接続要求データの情報に基づいて、指定されたサブディレクトリの中から圧縮映像データのファイルを選択して、圧縮映像データを受信機２に送信することができる。すなわち、ＰＣ１は、受信機２からの接続要求データを受信した場合、受信機２において、送信を要求する圧縮映像データが格納されているサブディレクトリ名が予め設定されているので、ファイル操作部９が読み出す圧縮映像データのファイルを、受信機２に対応させて予め設定しておくという作業が省ける。
【０１５９】
次に、接続要求データ認識部７が、ファイル操作部９に、読み出すファイルを指示すると、この指示を受けて、ファイル操作部９は、指定された圧縮映像データのファイルを、映像ファイル記憶手段１５の中から選択し、読み出す（Ｓ２５）。以下、図５においてＳ２５〜Ｓ２９までの処理工程は、図３に示すＳ５〜Ｓ９の処理工程と同じであるため、説明は省略する。
【０１６０】
このようにして、本システムでは、ユーザから特に、送信用映像データの指定をする操作を入力しなくても、予め決められたサブディレクトリから送信用映像データのファイルを読み出して、ＴＶ３でそのファイルに格納されている映像データの映像を視聴することができる。
【０１６１】
（送信用映像データのファイルの指定例３）
さらに、図６を参照して、受信機２側からＰＣ１に対して、送信用映像データのファイルとして、特定の日時に記憶された映像データのファイルを指定する方法の一例を示す。より詳細には、受信機２からの接続要求データは、送信を要求する圧縮映像データが記憶された特定の日時に関する情報を含んでおり、その情報に基づき、ファイル操作部９が、圧縮映像データのファイルを読み出す例について説明する。
【０１６２】
図６は、受信機２からＰＣ１に対して、送信用映像データのファイルとして、特定の日時に記憶された送信用映像データのファイルを指定する方法を示すフローチャートである。また、図６は、ステップＳ３０〜Ｓ３３までの処理が、図３に示す処理のＳ１〜Ｓ４と同じであるため、この間の処理ステップに関する説明は省略する。
【０１６３】
接続が確立されると、接続要求データ認識部７は、接続要求データに基づいて、特定の日時に記憶された映像データのファイルを指定し、ファイル操作部９にその特定の日時に記憶された送信用映像データを読みだすように指示を出す（ステップＳ５）。この特定の日時に記憶された送信用映像データとは、ＰＣ１が、外部から映像データを取得し、記憶手段１２に記憶するときの日時である。この日時は、ＰＣ１において、映像データの記憶時に、刻時手段１１によって記録される。
【０１６４】
また、受信機２から送信された接続要求データは、受信機コードの中に、特定の日時に記憶された映像データを読み出すように指示する情報が含まれている。なお、この特定の日時の指定は、予め、例えば受信機２が送信要求を行った日またはその前日というように決められている。
【０１６５】
例えば、ある受信機２からＰＣ１に対して、日時を基準にファイル送信を要求する情報を含む接続要求データが送信されたとする。この受信機２が、予め、送信要求データを送信した日の前日の映像データを要求すると設定されている場合、受信機コードの中には、「この受信機２は、前日に記憶された映像データの送信を要求するものである」という情報が含まれる。
【０１６６】
したがって、接続要求認識部７は、送信要求データを認識することで、受信機２に応じた特定の日時の圧縮映像データのファイルを、映像ファイル記憶手段１５の中から選択し、読み出すことができる。なお、受信機２において、予め、送信を要求する映像データが記憶された、特定の日時に関して設定されているので、ユーザは、圧縮映像ファイルが記憶された日時を指定する処理工程を必要としない。つまり、送信用映像データのファイルを指定する操作キーが不要である。また、ＰＣ１においても受信機２からの接続要求に応じて送信する圧縮映像データを予め設定しておく必要がない。
【０１６７】
次に、接続要求データ認識部７からの指示を受けて、ファイル操作部９は、特定の日時に記憶された圧縮映像データのファイルを、映像ファイル記憶手段１５の中から選択し、読み出す（ステップＳ３５）。以下、図６においてＳ３５〜Ｓ３９までの処理工程は、図３に示すＳ５〜Ｓ９の処理工程と同じであるため、説明は省略する。
【０１６８】
このようにして、本システムでは、ユーザから特に、送信用映像データの指定をする操作を入力しなくても、特定の日時に記憶された圧縮映像データのファイルを読み出して、ＴＶ３でそのファイルに格納されている映像データの映像を視聴することができる。
【０１６９】
（本システムの別の実施例）
また、本実施の形態にかかるシステムの別の一例を、図７を参照して説明する。
図７は、本実施の形態にかかるシステムの別の一例を示す図である。
本実施の形態にかかるシステム（第２システム）は、ＰＣ１に記憶されている映像データを、無線ＬＡＮを介して受信機２に送信し、受信機２に接続されているＴＶ３のモニタによって、映像を視聴するためのシステムである。なお、上記したように、ＰＣ１と受信機２とは、互いに無線ＬＡＮによって接続されている構成に限定されるものではなく、無線による通信が可能な構成であればどのような通信形態であってもよい。また、無線に限らず、ＰＣ１と受信機２とが有線で接続されている構成としてもかまわない。
【０１７０】
このシステムは、図１に示したシステムにおいて、リモコン４によるＰＣ１に対する操作入力を可能としたものである。このため、図１に示すシステムと同じ部材には同じ符号を付し、その説明を省略する。
また、この第２システムは、図１に示すシステムのＰＣ１において、処理部６が、さらに制御信号認識部２８を有している。また、図１に示すシステムの受信機２において、さらにリモコン操作信号受信部２２を備えているとともに、処理部１９が制御信号変換部２４を有している構成である。
【０１７１】
また、第２システムでは、ＴＶ３を視聴するユーザからの操作要求をＰＣ１に伝えるために、リモコン（外部入力手段）４が設けられている。ＰＣ１の制御に関するユーザの要求は、このリモコン４からのリモコン操作信号を受信機２が受信して、ＰＣ１に制御信号として伝送することで可能となる。なお、リモコン４からの操作信号が、ＰＣ１に伝達される流れについては後述する。
【０１７２】
第２システムのＰＣ１において、上記制御信号認識部２８は、受信機２から送信されたリモコン制御信号を受信する。そして、この制御信号の情報に基づき、ファイル操作部に対して、映像データの読み出しの停止や、映像データの再生等の映像データについての制御に関する指示を与えるものである。
【０１７３】
一方、第２システムの受信機２において、リモコン操作信号受信部２２は、リモコン４からの操作信号を受信し、制御信号変換部２４にその信号を送るものである。また、制御信号変換部２４は、リモコン操作信号受信部２２で受信した、リモコン４からの操作信号を、無線ＬＡＮを経由してＰＣ１が受信できるように送信信号の方式を変換するものである。
【０１７４】
上記制御信号変換部２４は、ＴＶ３の外部入力手段であるリモコン４からの操作信号を、ＰＣ１が受信し認識できる信号方式に変換するものである。
【０１７５】
ここで、リモコン操作信号およびリモコン制御信号に関して説明する。
リモコン操作信号とは、離れたところにあるＴＶのチャンネルを換えたりするような、従来からある操作を指示するための信号である。ここでは、ＰＣ１の操作を制御するために用いられる信号である。ユーザは、ＰＣ１に所望の操作を行うように指示するために、このリモコン４を使って制御を行う。
【０１７６】
この制御の流れについて説明する。まず、ユーザが、ＰＣ１に所望の操作を行わせるために、リモコン４の操作キーを押す。ユーザによってリモコンの操作キーが押されると、無線で受信機２にリモコン操作信号が送られる。受信機２は、この操作信号をリモコン操作信号受信部２２で受信する。そして、このリモコン操作信号を、制御信号変換部２４で、ＰＣ１が受信して認識できる信号方式に変換して、リモコン制御信号とする。この制御信号は、送信部２６を介して、無線でＰＣ１に送信される。ＰＣ１は、この制御信号を受信部２９で受信すると、制御信号認識部２８に送る。制御信号認識部２８は、この制御信号を認識し、処理部６の各構成部に、要求される制御の指示を出す。
【０１７７】
このように、第２システムでは、ＰＣ１の操作をリモコン４によって制御できる構成になっている。このため、ユーザは、リモコン４を使って、送信用映像データの停止や、再送等を指示することができる。
【０１７８】
（制御信号によって、ＰＣ１を制御する例１）
次に、上記した実施例１の形態に係るシステム（第２システム）の構成において、受信機２からＰＣ１に制御信号を送信し、ＰＣ１に記憶された映像データに対する操作を制御する手順を説明する。
図８は、受信機２からＰＣ１に制御信号を送信し、ＰＣ１における映像データの操作を制御する手順を示すフローチャートである。
【０１７９】
ここで、前提として、図３に示した実施例と同様に、ＰＣ１の記憶手段１２に圧縮映像データが記憶されている。すなわち、ＰＣ１は、外部からアナログＡ／Ｖ信号方式で映像データを受信し、この映像データを、自身に内蔵しているエンコーダ部８によってエンコードし、記憶手段１２の映像ファイル記憶部１５に記憶している。
【０１８０】
このような前提において、第２システムは、次の手順によってＰＣ１に記憶された映像データの操作を、ＴＶ３のリモコン４で操作する。なお、図８に示すＳ４０〜Ｓ４３までの間の処理工程は、図３に示すＳ１〜Ｓ４の処理工程と同じであるため、説明は省略する。ただし、図８に示す処理工程は、受信機２が、ＰＣ１に、受信機の外部入力手段を示すＵＩコードか含まれた接続要求データを送信する（Ｓ４０）という点で、図３に示した処理とは異なる。なお、この図８に示す処理工程の場合、このＵＩコードは、外部入力手段としてリモコン４が使われるという情報を含む。つまり、この接続要求データは、リモコン４からの操作信号を受信して、受信機２が、ＰＣ１を制御するための制御信号を送信する機能を有しているという情報を含むことになる。
【０１８１】
図８に示すように、ＰＣ１と受信機２との間で接続が確立されると（Ｓ４０〜Ｓ４３）、接続要求データ認識部７は、接続要求データに基づいて、接続要求した受信機２が、リモコン制御信号の送信機能を有しているか判定する（ステップＳ４４）。
【０１８２】
接続要求した受信機２が、リモコン制御信号の送信機能を有している場合（Ｓ４４において「ＹＥＳ」）、ＰＣ１は、受信機２からの制御信号の受信に備えて待機する。（Ｓ４５）。それから、ＰＣ１は、ファイル操作部９が、圧縮映像データのファイルの読み出し処理を行う（Ｓ４６）。逆に、受信機２が、制御信号をＰＣ１に送信する機能を有していない場合（Ｓ４４において「ＮＯ」）は、そのまま、圧縮映像データのファイルの読み出し処理を行う（Ｓ４６）。
【０１８３】
このファイルの読み出しは、例えば、接続要求データの中に、受信機２が送信を要求する特定の映像データに関する情報が含まれている場合、ファイル操作部９は、その映像データに関する情報に基づいて、所定の圧縮映像データを映像ファイル記憶部１５から読み出す。以下、Ｓ４６〜Ｓ５０までの処理工程、すなわち、ファイル操作部９が、圧縮映像データファイルの読み出しを行ってから、送信手段５が、受信機２にそのファイルの圧縮映像データを送信し、ＴＶ３で、その映像データの映像を再生するまでの工程は、図３に示すＳ５〜Ｓ９までの処理工程と同じである。したがって、この間の処理についての説明は省略する。
【０１８４】
また、ＰＣ１に保持された圧縮映像データが、ＴＶ３で再生された段階で、ＰＣ１において、受信機２が制御信号送信機能を有していると判定され（Ｓ４４で「ＹＥＳ」）、受信機２からの制御信号を受信できるように準備をしている状態にある（４５）場合は、次の処理工程を追加することができる。
【０１８５】
例えば、ユーザが、送信映像の停止を行うために、リモコン４を使って、停止を要求するリモコン操作信号を送信する。この場合、この操作信号は、受信機２のリモコン操作信号受信部２２で受信され、制御信号変換部２４に送られる。制御信号変換部２４は、ユーザから送られたリモコン操作信号を、リモコン制御信号に変換し、送信部２６を介してＰＣ１に送信する。
【０１８６】
ＰＣ１は、この制御信号を受信機２から受信すると（Ｓ５１において「ＹＥＳ」）、制御信号認識部２８でリモコン制御信号は認識される（Ｓ５２）。制御信号認識部２８は、このリモコン制御信号を認識すると、この制御信号の情報に基づき、ファイル操作部９に指示を与える。例えば、ユーザが映像データの送信の停止を要求している場合は、ファイル操作部は、映像ファイル記憶部１５からの映像の読み出しを止める。（Ｓ５３）。
【０１８７】
このようにして、第２システムでは、ＰＣ１の映像データの視聴および制御を行うことができる。また、この第２システムは、受信機２の制御信号送信機能の有無に応じて、切り換えて映像データの送信を行うことができる。
【０１８８】
（制御信号によって、ＰＣ１を制御する例２）
次に、図９を参照して、第２システムにおいて、ＰＣ１が、受信機２に対して映像データファイルの動画データにおける静止画像を送信する一例について説明する。
図９は、本実施の形態にかかるシステムにおいて、ＰＣ１が、受信機２に対して映像データの静止画像を送信する処理を示すフローチャートである。なお、この実施例においてＰＣ１から受信機２に送信される静止画像は、動画データの再生開始時における静止画像とする。
【０１８９】
図９に示す処理工程は、Ｓ５４〜Ｓ６０までの処理が、図８に示す処理のＳ４０〜Ｓ４６と同じである。このため、Ｓ５４〜Ｓ６０までの処理工程についての説明は省略する。ただし、この処理において、受信機２からＰＣ１に送信される接続要求データには、映像データの再生開始時における静止画像（開始画像）を一枚要求する内容のコードが含まれている。したがって、Ｓ６１からの処理工程が異なることになる。
【０１９０】
すなわち、受信機２からの接続要求データに基づいて、接続要求データ認識部７の指示に従って、ファイル操作部９が、特定の映像データファイルを読み出す。そして、次に、ファイル操作部９は、接続要求データに基づく、接続要求データ認識部７からの指示によって、読み出した映像データファイルの中から、その映像データの開始画像のデータだけを選択する（Ｓ６１）。そして、データの信号方式の変換が必要な場合（Ｓ９において「ＹＥＳ」）は、データ変換部に送信されデータの信号方式は変換される（Ｓ６２）。そして、開始画像のデータは、送信手段５によって、ＰＣ１から受信機２に送信される（Ｓ６４）。データの信号方式の変換が不要な場合（Ｓ６２において「ＮＯ」）は、そのまま、Ｓ６４に進み、ＰＣ１から受信機２に送信される。
【０１９１】
受信機２は、このデータを受信すると、デコーダ部２１がこのデータを復号化して、アナログデータに変換して、ＴＶ３に送る。そして、ＴＶ３のモニタでこのデータの映像が、再生される（Ｓ６５）。
【０１９２】
次に、静止画像をみて、その画像に対応する圧縮映像データの中身を確認した結果、この圧縮映像データが、ユーザが視聴を所望するデータであるかどうか確認する（Ｓ６６）。
【０１９３】
確認の結果、所望の映像データである場合は（Ｓ６６において「ＹＥＳ」）、ユーザは、リモコン４の「再生」に対応する操作キーを押す。このことによって、リモコン４から受信機２に、「再生」を要求する操作信号が送信される（Ｓ６７）。この操作信号は、受信機２において、リモコン操作信号受信部２２で受信され、制御信号変換部２４で制御信号に変換される（Ｓ６８）。そして、この制御信号は、受信機２からＰＣ１に無線で送信され、ＰＣ１の受信部１７で受信され、制御信号認識部２８で認識される（Ｓ６９）。この認識結果に基づいて、制御信号認識部２８からファイル操作部９に圧縮映像データを取得し、受信機に送信するように指示を与える。ファイル操作部９は、この指示に基づき、受信機に送信した静止画像に対応する圧縮映像データを読み出す（Ｓ７０）。ファイル操作部によって、読み出された圧縮映像データは、変換が必要な場合、変換部１０でこのデータの信号方式を変換してから、送信手段５が受信機２に送信する。受信機２において、このデータは、デコーダ部２１によって復号化され、アナログＡ／Ｖ信号に変換され、ＴＶ３に送られる。そして、ＴＶ３のモニタでこのデータの映像が再生される（Ｓ７１）。
【０１９４】
ここで、静止画像をＴＶ３において視聴する操作の流れについて詳述する。図９に示す処理の場合は、ファイル操作部９が、接続要求データに基づき、接続要求データの指示に従って、圧縮映像データのファイルを指定する。そして、このファイルの映像データの開始部分の静止画像を、受信機に送信する構成となっている。つまり、ファイル操作部９が、圧縮映像データの開始部分に対応する映像データを静止画像に変換し、受信機２に送信する。この場合、受信機２は、常にこの静止画像を、デコーダ部によってアナログＡ／Ｖ信号に変換し、ＴＶ３に繰り返し送信続けるような構成となっている。
【０１９５】
なお、受信機２が、この静止画像を繰り返しＴＶ３に送信可能とする機能を有さない場合、ＰＣ１のファイル操作部９が、送信用映像データの静止画像を、ある所定の期間、繰り返し受信機２に対して送信するように構成されていてもよい。この場合、ＰＣ１は、外部から取得した映像データを、ファイル操作手段９によって、映像ファイル記憶部１５に記憶させる際に、この圧縮映像データと、この映像データの静止画像を予め、別々のディレクトリに格納しておき、これらの対応関係を映像データファイル管理部１５において記録しておいてもよい。このようにすることで、受信機２が、圧縮映像データの静止画像の送信要求を行う場合、送信用映像データのファイルの特定がなされれば、そのファイルに対応する静止画像を、映像データ管理テーブル１４を参照して読み出し、受信機２に送ることができる。
【０１９６】
このようにして、本第２システムは、ＰＣ１と受信機２との間で接続が確立されたら、圧縮映像データの開始画像を受信機に送ることができる構成である。このため、ユーザは、この開始画像をみて、圧縮映像ファイルの中身を確認してから、圧縮映像データを視聴することができる。
【０１９７】
なお、本第２のシステムは、接続要求データに、特定の日時、特定のサブディレクトリ、または特定のファイル名に関する情報を組み入れることによって、それぞれの条件に応じた圧縮映像データを指定し、その静止画像を受信機に送信することができる。このため、ユーザは、特定の条件に応じた圧縮映像データの中身を、静止画像で確認した上で、映像データの再生を行うことが可能となる。
【０１９８】
また、本第２システムのこの実施例では、圧縮映像データファイルの動画データの開始時における静止画像を送信する構成となっている。ところで、この送信される静止画像は、圧縮映像データの開始時ではなく、圧縮映像データの中の所望の部分を静止画像として送信してもよい。例えば、本第２システムにおいて、接続要求データ認識部７が、圧縮映像データの読み出し指示を行う場合、圧縮映像データの中から所定の部分を取り出すように、ファイル操作部９に指示をする。この場合において、接続要求データ認識部７は、接続要求データの中から圧縮映像データの中の所定の部分を示す情報を認識することになる。この所定の部分は、圧縮映像データの再生時間において、開始時から、所定時間の経過後の映像に該当する部分と決めておけばよい。
【０１９９】
なお、圧縮映像データのサイズによっては、この所定時間経過後よりも先に映像が終了する場合があるため、この圧縮映像データの所定の部分は、圧縮映像データのサイズ情報に基づいて、位置を指定するように変更する構成であることが好ましい。なお、このサイズ情報は、映像データファイル管理テーブル１４で管理しておくことができる。
【０２００】
また、ＰＣ１から受信機２に送信される静止画像は、ＰＣ１が圧縮映像データの読み出しを行っている最中に、ユーザのリモコン４による停止指示によって、読み込みが中断されたその直近の映像データを静止画像にして送信させてもよい。
【０２０１】
また、本第２システムのこの実施例では、接続要求データに中に、圧縮映像データの静止画像を要求する情報を含んでいる構成である。しかし、ＰＣ１は、受信機２から接続要求を受信した場合、接続要求データの中に、静止画像の送信を要求する情報が含まれていなくても、送信用圧縮映像データの静止画像を、受信機２に送信するように予め、設定されていてもよい。つまり、例えば、受信機２から送信された接続要求データの中に、特定のファイル名の圧縮映像データを送信することを要求する情報が含まれているとする。この場合、ＰＣ１は、特定のファイル名における圧縮映像データファイルを、ファイル操作部９で読み出し、読み出したファイルの静止画像を、受信機２に送信する。
【０２０２】
このように、ＰＣ１が、圧縮映像データを受信機２に送信する前に、その映像データの静止画を必ず送信するように設定されていれば、ユーザは、いきなり映像を再生しなくても、静止画像でその映像の中身を確認した上で、映像の再生を行うことができる。
【０２０３】
また、この第２システムは、接続要求データに静止画像の送信要求を指示する情報を含ませることで、静止画像を受信機２に送信し、ＴＶ３側で再生させることができる構成である。さらに、この第２システムは、リモコン４による制御信号によって、ＰＣ１の操作を制御することができる構成である。
【０２０４】
このため、接続要求データが、予め複数の圧縮映像データのファイルに対する静止画像の送信要求に関する情報を有しており、その接続要求データを認識したＰＣ１が、複数の圧縮映像データの静止画像をそれぞれ、受信機２に送信することも可能である。そして、ユーザは、複数の静止画像を順々に視聴して、その静止画の中から、特定の静止画を選択して、選択された静止画像に対応する圧縮映像データの送信をＰＣ１に対して行うことができる。
【０２０５】
すなわち、一旦、複数の圧縮映像データの中の１枚の静止画像を受信し、再生した結果、その静止画像に対応する圧縮映像データが、ユーザの所望する映像で無い場合、ユーザは、次の圧縮映像データのファイルを要求する「スキップ」指示をリモコン４によって行う。このように次のファイルを指定する操作は、ユーザからリモコン４によって「再生」を指示する操作信号が送られるまで続けられる。
【０２０６】
このようにして、ユーザは、次々と順々にＰＣ１に保持されている圧縮映像データのコンテンツを、静止画像で確認しながら、再生要求を行うことができる。しかも、この操作を行うために必要とされるリモコン４の操作キーは、「再生」を指示する操作キーと、次の静止画像を送るように指示する「スキップ」操作キーのみで実現できる。
【０２０７】
このように、本第２システムでは、リモコン４が、「再生」「停止」「スキップ」を示す操作キーのみを備えているだけで、所望の内容の圧縮映像データを選択して再生することができる。
【０２０８】
なお、この静止画像を切り換えて、送信用映像データを選択して送信する第２システムは、予め、接続要求データの中に複数の圧縮映像データのファイルに関する静止画像を要求する情報を含んでいたが、この構成に限定されるものではない。すなわち、単に接続要求データは、１つの圧縮映像データに関する静止画像の送信を要求し、その静止画像の再生中に、リモコン４から「スキップ」操作を指示する操作信号を送信して、別の圧縮映像データの静止画像に切り換える構成であってもよい。
【０２０９】
また、この場合、接続要求データが、例えば、予め特定のサブディレクトリに格納されている圧縮映像データを指定する情報をさらに含んでいるときは、そのサブディレクトリ内に格納されている圧縮映像データの静止画像は、リモコン４の「スキップ」操作が行われるたびに、順々に読み出され、そして、その静止画像は、受信機２に送信される構成であってもよい。なお、この場合においても、静止画像の送信を停止し、圧縮映像データの送信に切り換えるトリガは、リモコン４から「再生」操作を指示する操作信号である。
【０２１０】
このように、従来からのテレビに備えられたリモコンのように、限られた操作キーしか搭載できない場合において、本システムは「再生」、「停止」、「スキップ」の操作を示す操作キーのみで実現できるので、従来からのリモコンを利用可能とする。
【０２１１】
また、この静止画像を切り換えて、送信用映像データを選択して送信する第２のシステムは、予め、接続要求データの中に複数の圧縮映像データに関する静止画像の情報を含み、複数の圧縮映像データのファイルを指定して、順々にそれぞれのファイルの静止画像を送信する構成である。このように、複数の静止画像を順々に送信する構成に対して、本第２システムは、複数の静止画像全ての一覧を示した静止画象を受信機２に送信する構成であってもよい。すなわち、ＰＣ１は、接続要求データに基づき、指定された圧縮映像データのファイルを、ファイル操作部９が選択し、それぞれのファイルの静止画像を読み出す。そして、送信手段５がこの読み出された静止画像を一覧にして、一枚の静止画像として受信機２に送信する構成であってもよい。
【０２１２】
この構成の場合、送信手段５によって、一覧にした複数の映像データの静止画像は、受信機２に送信され、ＴＶ３で再生される。そして、視聴者は、複数の静止画像の中から所望の圧縮映像データに対応する静止画象を選択する。
【０２１３】
この静止画像の選択は、次のようなリモコン４の操作によって実現できる。例えば、一覧に表示されている静止画像の１つには、選択を示す表示が配されており、リモコン４の「スキップ」を示す操作キーを入力することによって、その表示が切り換わるようになっている。そして、ユーザが視聴を所望する映像の静止画像に、この表示が配されたときに、ユーザは、リモコン４の「再生」を示す操作キーを入力する。この「再生」を示す操作キーの入力によって、圧縮映像データの送信を要求する操作信号が、受信機２を介して制御信号としてＰＣ１に送信される。この信号を受信したＰＣ１は、一覧の中の静止画像のうち、選択が示す表示が配されている静止画像に対応する、圧縮映像データを受信機２に送信する。このようにして、ユーザは、複数の静止画像から構成される一覧の表示を利用して、再生する圧縮映像データを選択することができる。
【０２１４】
また、静止画像の選択は、例えば、この一覧の中の静止画像のいずれか１つに、選択を示す表示が配されているのではなく、各静止画像には、番号が振られており、所望の圧縮映像データの静止画像に付された番号を、リモコン４に搭載されているチャンネルを指定するための番号で指定して、圧縮映像データを選択する構成であってもよい。この場合、その指定した静止画像に対応する映像データは、リモコン４からの「再生」を示す操作キーの入力をうけてから受信機２に送信される構成となる。
【０２１５】
このようにして、本第２システムでは、ユーザが、複数の静止画像の一覧を利用して、再生を所望する圧縮映像データを選択することができる。
【０２１６】
さらに、本第２システムにおいて、ＰＣ１は、受信機２から複数の圧縮映像データの指定を含む接続要求データを受信した場合、受信機２対して最初に、複数の圧縮映像データの静止画像を順々に送信するように予め設定されていてもよい。あるいは、ＰＣ１は、複数の圧縮映像データの静止画像を、一覧にして送信するように予め設定されていてもよい。
【０２１７】
このようにＰＣ１が設定されている場合は、受信機２から複数の圧縮映像データを指定するだけで、必ずその複数の圧縮映像データに対応する静止画像が送信されることになる。したがって、ユーザは、複数の静止画像を見て、必ず各圧縮映像データの中身を確認した上で、圧縮映像データの送信を要求することができる。
【産業上の利用可能性】
【０２１８】
本発明にかかるＰＣ１と受信機２とから構成されるシステムは、ＰＣ１が、受信機２側の機能に応じて設定を変更できる構成である。また、少ない操作手段でＰＣ１に記憶されているデータを受信機２側で再生することができる。したがって、ＰＣ１に記憶した映像データを、このＰＣ１から離れた位置にあるＴＶ３において再生することができる。
【図面の簡単な説明】
【０２１９】
【図１】本発明の実施形態を示すものであり、無線によって接続されているＰＣ受信機とにおける、映像データの伝送にかかるシステムを示すブロック図である。
【図２】接続要求データのデータ構造の一例を示す図である。
【図３】ＰＣに記憶された映像データをＴＶにおいて視聴する手順を示すフローチャートである。
【図４】受信機からＰＣに対して、送信用映像データのファイルとして、特定のファイル名を指定する方法を示すフローチャートである。
【図５】受信機からＰＣに対して、送信用映像データのファイルとして、特定のサブディレクトリにある送信用映像データのファイルを指定する方法を示すフローチャートである。
【図６】受信機からＰＣに対して、送信用映像データのファイルとして、特定のサブディレクトリにある送信用圧縮映像データのファイルを指定する方法を示すフローチャートである。
【図７】本実施の形態にかかるシステムの別の一例を示すブロック図である。
【図８】受信機からＰＣに制御信号を送信し、ＰＣにおける映像データの操作を制御する手順を示すフローチャートである。
【図９】本実施の形態にかかるシステムにおいて、ＰＣが、受信機に対して映像データの静止画像を送信する処理を示すフローチャートである。
【図１０】従来技術を示すものであり、ビデオテープレコーダ/ＤＶＤレコーダとＴＶとの間における無線伝送システムの要部構成を示すブロック図である。
【図１１】従来技術を示すものであり、伝送媒体として無線を用いて２台のＰＣとの間における無線伝送システムの要部構成を示すブロック図である。
【符号の説明】
【０２２０】
１    ＰＣ（映像送信装置）
２    受信機
３    ＴＶ
４    リモコン（外部入力手段）
５    映像録画再生装置
６    処理部（映像送信装置制御手段）
７    接続要求データ認識部
８    エンコーダ部
９    ファイル操作部
１０  データ変換部
１１  刻時手段（刻時手段）
１２  記憶手段
１３  受信機情報管理テーブル
１４  映像データ管理テーブル
１５  映像ファイル記憶部
１６  映像送信装置入出力手段
１７  受信部
１８  送信部
１９  処理部（受信機制御手段）
２０  接続要求データ生成部
２１  デコーダ部（復号化手段）
２２  リモコン操作信号受信部
２３  記憶手段
２４  制御信号変換部
２５  受信機入出力手段
２６  送信部
２７  受信部
２８  制御信号認識部
２９  無線信号受信部
３０  無線信号送信部
３１  受信機情報管理テーブル
【図１】
2005130090.tif 000003
【図２】
2005130090.tif 000004
【図３】
2005130090.tif 000005
【図４】
2005130090.tif 000006
【図５】
2005130090.tif 000007
【図６】
2005130090.tif 000008
【図７】
2005130090.tif 000009
【図８】
2005130090.tif 000010
【図９】
2005130090.tif 000011
【図１０】
2005130090.tif 000012
【図１１】
2005130090.tif 000013